(57)【要約】【課題】水質浄化機能を備え、形状自由度が高い水栓装置の提供。【解決手段】水栓装置１００は、グリップ部１０２と、グリップ部１０２に取り外し可能に取り付けられているヘッド部１０４とを有している。グリップ部１０２は、ヘッド部１０４の一部が挿入される内方空間部１０２ｃと、係合孔部Ｅ１と、第１当接面Ｆ１とを有している。ヘッド部１０４は、正規装着状態において係合位置にあり且つこの係合位置において係合孔部Ｅ１に係合する係合突起Ｔ１と、第１当接面Ｆ１に当接する第２当接面Ｙ１と、係合突起Ｔ１を、係合孔部Ｅ１との係合が解除される退行位置にまで変位させうる操作部２００と、操作部２００の動きを係合突起Ｔ１に伝達する伝達部１６０と、弾性体１８０とを有する。前記挿入に伴う第１当接面Ｆ１と第２当接面Ｙ１との当接により、係合突起Ｔ１は、前記退行位置にまで変位するように構成されている。【選択図】図８
2018025094.tif 000002
【特許請求の範囲】
【請求項１】
水質浄化材を内蔵するグリップ部と、
前記グリップ部に取り外し可能に取り付けられており、吐出口を有するヘッド部と、
を有しており、
前記グリップ部が、前記ヘッド部の一部が挿入される内方空間部と、前記内方空間部に面して設けられた係合孔部と、第１当接面とを有しており、
前記ヘッド部が、正規装着状態において係合位置にあり且つこの係合位置において前記係合孔部に係合する係合突起と、前記ヘッドの一部が前記内方空間部に挿入される過程で前記第１当接面に当接する第２当接面と、前記係合突起を前記係合孔部との係合が解除される退行位置にまで変位させうる操作部と、前記操作部の動きを前記係合突起に伝達する伝達部と、前記係合突起を突出方向に付勢する弾性体と、
を有しており、
前記挿入に伴う前記第１当接面と前記第２当接面との当接により、前記係合突起は、前記退行位置にまで変位するように構成されている水栓装置。
【請求項２】
前記グリップ部が、グリップ本体と、このグリップ本体の少なくとも一部を覆うグリップカバーとを有しており、
前記係合孔部は、前記グリップ本体を貫通しており、
前記グリップカバーにより、前記係合孔部が覆われている請求項１に記載の水栓装置。
【請求項３】
前記操作部が、押圧によって前記係合を解除しうる解除ボタンであり、
前記解除ボタンが配置されている位置において、前記ヘッド部の外形が偏平形状であり、
前記偏平形状における幅広方向の両側に、前記解除ボタンが設けられている請求項１又は２に記載の水栓装置。
【請求項４】
前記操作部が、前記ヘッド部の露出長さの中央位置よりも水栓本体側に位置している請求項１から３のいずれか１項に記載の水栓装置。
【請求項５】
前記操作部が、前記ヘッド部の露出部分よりも水栓本体側に位置している請求項１又は２に記載の水栓装置。
【請求項６】
前記操作部が、前記水栓装置の下側に位置している請求項１、２又は５に記載の水栓装置。
【請求項７】
前記伝達部が、前記解除ボタンが固定され且つ前記係合突起を有する第１伝達部材と、前記係合突起を有する第２伝達部材と、第３伝達部材とを有しており、
前記第３伝達部材が、当該第３伝達部材の回転中心である回転支持部と、前記回転支持部に対して一方側に設けられた第１リンク部と、前記回転支持部に対して他方側に設けられた第２リンク部とを有しており、
前記回転支持部は、他部材によって回動可能に支持されており、
前記第１伝達部材が、前記第１リンク部に回動可能に係合しており、
前記第２伝達部材が、前記第２リンク部に回動可能に係合しており、
前記第１伝達部材が第１方向に移動すると、この第１方向への移動が前記第３伝達部材の回転に変換され、この第３伝達部材の回転が前記第２伝達部材の第２方向への移動に変換される請求項１、２、５又は６に記載の水栓装置。
【発明の詳細な説明】
【技術分野】
【０００１】
本発明は、水栓装置に関する。
【背景技術】
【０００２】
浄水機能付きの水栓装置が提案されている。特許第４６５３８４６号公報は、水質浄化用カートリッジが内蔵され、原水と浄水との切り替えが可能なシャワーヘッドを開示する。
【先行技術文献】
【特許文献】
【０００３】
【特許文献１】特許第４６５３８４６号公報
【発明の概要】
【発明が解決しようとする課題】
【０００４】
特許第４６５３８４６号公報に記載のシャワーヘッドでは、把持部１１が円筒形状とされ、筒部１１ａと筒部１１ｂとがネジ結合されている。このネジ結合を分離することで、水質浄化用カートリッジの交換が可能とされている。
【０００５】
ネジ結合のような回転方式で結合部の着脱を行う場合、上記先行技術のように、当該結合部は、円筒形状又はそれに近い形状とされる。したがって、ヘッド部及びグリップ部の形状も、円筒形状となるのが好ましい。この場合、円筒形状とは極端に異なる形状（以下、異形状ともいう）にしようとすると、円筒形状に異形状部分を上乗せする必要が生じるため、水栓が大型化したり、この大型化を防止するために内部構造の小型化を行ったりする必要がある。また、回転方式ではない結合部とする場合、ビスやＣリング等の結合用外部部材が別途必要となり、外嵌性が損なわれる上、結合部材が紛失する恐れがある。
【０００６】
形状自由度を高めるためには、回転方式でなく、且つ、結合解除時に分離する外部部材も不要な結合部が望まれる。
【０００７】
本発明の目的は、水質浄化機能を備え、形状自由度が高い水栓装置の提供にある。    
【課題を解決するための手段】
【０００８】
本発明に係る好ましい水栓装置は、水質浄化材を内蔵するグリップ部と、前記グリップ部に取り外し可能に取り付けられており、吐出口を有するヘッド部と、を有している。前記グリップ部が、前記ヘッド部の一部が挿入される内方空間部と、前記内方空間部に面して設けられた係合孔部と、第１当接面とを有している。前記ヘッド部が、正規装着状態において係合位置にあり且つこの係合位置において前記係合孔部に係合する係合突起と、前記ヘッドの一部が前記内方空間部に挿入される過程で前記第１当接面に当接する第２当接面と、前記係合突起を前記係合孔部との係合が解除される退行位置にまで変位させうる操作部と、前記操作部の動きを前記係合突起に伝達する伝達部と、前記係合突起を突出方向に付勢する弾性体と、を有している。前記挿入に伴う前記第１当接面と前記第２当接面との当接により、前記係合突起は、前記退行位置にまで変位するように構成されている。
【０００９】
好ましくは、前記グリップ部が、グリップ本体と、このグリップ本体の少なくとも一部を覆うグリップカバーとを有している。好ましくは、前記係合孔部は、前記グリップ本体を貫通している。好ましくは、前記グリップカバーにより、前記係合孔部が覆われている。  
【００１０】
好ましくは、前記操作部が、押圧によって前記係合を解除しうる解除ボタンである。好ましくは、前記解除ボタンが配置されている位置において、前記ヘッド部の外形が偏平形状である。好ましくは、前記偏平形状における幅広方向の両側に、前記解除ボタンが設けられている。
【００１１】
好ましくは、前記操作部が、前記ヘッド部の露出長さの中央位置よりも水栓本体側に位置している。
【００１２】
前記操作部が、前記ヘッド部の露出部分よりも水栓本体側に位置していてもよい。前記操作部が、前記水栓装置の下側に位置していてもよい。
【００１３】
好ましくは、前記伝達部が、前記解除ボタンが固定され且つ前記係合突起を有する第１伝達部材と、前記係合突起を有する第２伝達部材と、第３伝達部材とを有している。好ましくは、前記第３伝達部材が、当該第３伝達部材の回転中心である回転支持部と、前記回転支持部に対して一方側に設けられた第１リンク部と、前記回転支持部に対して他方側に設けられた第２リンク部とを有している。好ましくは、前記回転支持部は、他部材によって回動可能に支持されている。好ましくは、前記第１伝達部材が、前記第１リンク部に回動可能に係合している。好ましくは、前記第２伝達部材が、前記第２リンク部に回動可能に係合している。好ましくは、前記第１伝達部材が第１方向に移動すると、この第１方向への移動が前記第３伝達部材の回転に変換され、この第３伝達部材の回転が前記第２伝達部材の第２方向への移動に変換される。
【発明の効果】
【００１４】
水質浄化機能を備え、形状自由度が高い水栓装置が得られうる。
【図面の簡単な説明】
【００１５】
【図１】図１は、本発明の第１実施形態に係る水栓装置の側面図である。図１において、切替操作部は押し込み位置にある。
【図２】図２は、図１の水栓装置の平面図である。
【図３】図３は、図１の水栓装置の分解斜視図である。
【図４】図４（ａ）は、図１の水栓装置の断面図である。図４（ｂ）は、切替操作部が飛び出し位置にあるときの断面図である。
【図５】図５は、図１の水栓装置の分解側面図である。
【図６】図６は、図１の水栓装置の分解断面図である。
【図７】図７は、図１の水栓装置の分解平面図である。
【図８】図８は、図１の水栓装置のより詳細な分解斜視図である。
【図９】図９（ａ）は伝達部材の斜視図であり、図９（ｂ）はこの伝達部材を上方から見た側面図であり、図９（ｃ）はこの伝達部材を内側から見た裏面図であり、図９（ｄ）はこの伝達部材を下方から見た側面図であり、図９（ｅ）はこの伝達部材を外側から見た平面図である。
【図１０】図１０（ａ）は解除ボタンの斜視図であり、図１０（ｂ）はこの解除ボタンを上方から見た側面図であり、図１０（ｃ）はこの解除ボタンを内側から見た裏面図であり、図１０（ｄ）はこの解除ボタンを下方から見た側面図であり、図１０（ｅ）はこの解除ボタンを外側から見た平面図である。
【図１１】図１１（ａ）は解除ボタンが取り付けられた伝達部材の平面図であり、図１１（ｂ）は図１１（ａ）のＡ−Ａ線に沿った断面図であり、図１１（ｃ）は図１１（ａ）のＢ−Ｂ線に沿った断面図である。
【図１２】図１２（ａ）はヘッド本体の斜視図であり、図１２（ｂ）はこのヘッド本体の平面図であり、図１２（ｃ）はこのヘッド本体の側面図であり、図１２（ｄ）はこのヘッド本体を後方から見た図である。
【図１３】図１３（ａ）はヘッド部が装着される過程における水栓装置の断面図であり、図１３（ｂ）は正規装着状態における水栓装置１００の断面図である。
【図１４】図１４（ａ）は、操作部の押圧により係合孔部と係合突起との係合が解除された状態の断面図であり、図１４（ｂ）は係合突起がグリップ部１０２から抜け出した状態を示す断面図である。
【図１５】図１５（ａ）はヘッドカバーの斜視図であり、図１５（ｂ）はヘッドカバーの平面図であり、図１５（ｃ）はヘッドカバーの側面図であり、図１５（ｄ）はヘッドカバーを後方から見た背面図である。
【図１６】図１６は、第２実施形態に係る水栓装置の側面図である。図１６において、切替操作部は飛び出し位置にある。
【図１７】図１７（ａ）は図１６の水栓装置の平面図であり、図１７（ｂ）は図１６の水栓装置の底面図である。
【図１８】図１８は、図１６の水栓装置の分解斜視図である。
【図１９】図１９（ａ）は図１６の水栓装置の断面図であり、図１９（ｂ）は、切替操作部が押し込み位置にあるときの断面図である。
【図２０】図２０は、図１６の水栓装置の分解側面図である。
【図２１】図２１は、図１６の水栓装置の分解断面図である。
【図２２】図２２は、図１６の水栓装置の分解平面図である。
【図２３】図２３は、ヘッド部の分解斜視図である。
【図２４】図２４（ａ）はグリップ部の分解斜視図であり、図２４（ｂ）はグリップ本体の分解斜視図である。
【図２５】図２５（ａ）は伝達部の一部である第２伝達部材の斜視図であり、図２５（ｂ）はこの第２伝達部材の正面図であり、図２５（ｃ）はこの第２伝達部材の側面図である。
【図２６】図２６（ａ）は伝達部の一部である第１伝達部材の斜視図であり、図２６（ｂ）はこの第１伝達部材の正面図であり、図２６（ｃ）はこの第１伝達部材の側面図であり、図２６（ｄ）はこの第１伝達部材を下方から見た斜視図である。
【図２７】図２７（ａ）は解除ボタンの斜視図であり、図２７（ｂ）はこの解除ボタンを後方から見た背面図であり、図２７（ｃ）はこの解除ボタンを下方から見た底面図である。
【図２８】図２８（ａ）は解除ボタンが第１伝達部材３６０Ｌに固定された組立部材の底面図であり、図２８（ｂ）は図２８（ａ）のｂ−ｂ線に沿った断面図であり、図２８（ｃ）は図２８（ａ）のｃ−ｃ線に沿った断面図である。
【図２９】図２９（ａ）は伝達部の一部である第３伝達部材の斜視図であり、図２９（ｂ）はこの第３伝達部材を上方から見た平面図であり、図２９（ｃ）はこの第３伝達部材を下方から見た斜視図である。
【図３０】図３０（ａ）はヘッド本体に伝達部材（解除ボタンを含む）が取り付けられた組立体の斜視図であり、図３０（ｂ）はこの組立体を下から見た斜視図であり、図３０（ｃ）はこの組立体の側面図である。
【図３１】図３１（ａ）はグリップ本体の斜視図であり、図３１（ｂ）はこのグリップ本体の平面図であり、図３１（ｃ）はこのグリップ本体の底面図である。
【図３２】図３２（ａ）はヘッド部が装着される過程における水栓装置の平面図であり、図３２（ｂ）は図３２（ａ）のｂ−ｂ線に沿った断面図である。
【図３３】図３３（ａ）はヘッド部の装着が完了した状態におけるヘッド部３０４の平面図であり、図３３（ｂ）は図３３（ａ）のｂ−ｂ線に沿った断面図である。
【図３４】図３４（ａ）は操作部の押圧により係合孔部と係合突起との係合が解除された状態の平面図であり、図３４（ｂ）は図３４（ａ）のｂ−ｂ線に沿った断面図である。
【発明を実施するための形態】
【００１６】
以下、適宜図面が参照されつつ、好ましい実施形態に基づいて本発明が詳細に説明される。
【００１７】
[第１実施形態]
図１は、本発明の第１実施形態に係る水栓装置１００の側面図である。図２は、水栓装置１００の平面図である。図３は、水栓装置１００の分解斜視図である。図４（ａ）は、水栓装置１００の断面図である。図４（ｂ）は水栓装置１００の部分断面図である。図１から図３及び図４（ａ）において、切替操作ボタン（後述）は押し込み位置にある。一方、図４（ｂ）において、切替操作ボタンは飛び出し位置にある。図４（ａ）は、浄水吐出状態を示す。図４（ｂ）は、原水吐出状態を示す。
【００１８】
水栓装置１００は、吐水を原水と浄水とに切り替えることが可能な浄水機能付き水栓装置である。水栓装置１００において、切替操作ボタンの位置と吐水切替との関係は、次の通りである。
（ａ）切替操作ボタンが押し込み位置にあるとき（ボタン凹）、浄水が吐出される。
（ｂ）切替操作ボタンが飛び出し位置にあるとき（ボタン凸）、原水が吐出される。
【００１９】
水栓装置１００は、グリップ部１０２と、ヘッド部１０４とを有する。グリップ部１０２には、水質浄化材（水質浄化カートリッジ１０６）が内蔵されている。グリップ部１０２は、水質浄化カートリッジ１０６を配置するための空洞部と、この空洞部を画定する内面ｅ２と、この空洞部に挿入された水質浄化カートリッジ１０６とを有する。この水質浄化カートリッジ１０６は、交換可能である。
【００２０】
水質浄化カートリッジ１０６は、水質浄化材を含む透水部１０６ａと、中空部１０６ｂとを有している。透水部１０６ａの形状は、略円筒状である。図示されないが、典型的な透水部は、水質浄化材と外側ろ過層と内側ろ過層とを有する。水質浄化材は、例えば、活性炭を主成分とする。外側ろ過層及び内側ろ過層には、例えば不織布が用いられる。外側ろ過層及び／又は内側ろ過層に、滅菌作用を有するセラミックが採用されてもよい。外側ろ過層及び／又は内側ろ過層に、イオン交換体が採用されてもよい。外側ろ過層は複数層であってもよい。内側ろ過層は複数層であってもよい。
【００２１】
透水部１０６ａは、水を透過させうる。原水は、透水部１０６ａを透過することで、浄化される。原水は、透水部１０６ａの外側から、前記水質浄化材を透過し、中空部１０６ｂに至ることで、浄水となる。
【００２２】
グリップ部１０２において、前記内面ｅ２と透水部１０６ａ（の外面）との間に、隙間流路ＧＷ１が形成されている。隙間流路ＧＷ１は、グリップ部１０２の原水流路である。原水吐出状態において、原水は、この隙間流路ＧＷ１から、透水部１０６ａを透過することなく、ヘッド部１０４の原水流路ＧＷ２に至る。原水は、この原水流路ＧＷ２から吐水口１１０に至り、吐出される。
【００２３】
グリップ部１０２において、水質浄化カートリッジ１０６の中空部１０６ｂは、浄水水路ＪＷ１である。浄水水路ＪＷ１は、グリップ部１０２の浄水流路である。浄水吐出状態において、浄水は、この浄水水路ＪＷ１から、ヘッド部１０４の浄水水路ＪＷ２に至る。浄水は、この浄水水路ＪＷ２から吐水口１１０に至り、吐出される。
【００２４】
浄水吐出状態において、透水部１０６ａの外面に異物等が付着する。しかしこの異物等は、原水吐出状態において、原水とともに排出される。よって、水質浄化カートリッジ１０６の目詰まりが抑制される。水質浄化カートリッジ１０６の浄水性能は、長期間維持される。
【００２５】
水栓装置１００は、水栓本体から取り外して使用されうる。この場合、グリップ部１０２が把持される。
【００２６】
ヘッド部１０４は、グリップ部１０２の下流側に位置する。ヘッド部１０４は、水栓装置１００の先端部を構成している。ヘッド部１０４は、グリップ部１０２に、取り外し可能に取り付けられている。水質浄化カートリッジ１０６を交換する際には、ヘッド部１０４がグリップ部１０２から取り外され、古い水質浄化カートリッジ１０６が水栓先端側から引き抜かれ、新しい水質浄化カートリッジ１０６が水栓先端側から前記空洞部に挿入される。
【００２７】
ヘッド部１０４は、吐水口１１０を有する。水は、吐水口１１０から吐出される。浄水又は原水のいずれかが、吐水口１１０から吐出される。水栓装置１００は、水質浄化材を透過して吐水口１１０へと至る浄水流路と、水質浄化材を透過せずに吐水口１１０へと至る原水流路と、を有している。
【００２８】
図５は、ヘッド部１０４の内部部品の分解側面図である。図６は、図５の断面図である。図７は、図５の平面図である。
【００２９】
ヘッド部１０４は、切替操作部１２０を有する。切替操作部１２０は、押しボタンである。押しボタン１２０は、原水流路と浄水流路とを切り替える切替ボタンとして機能する。  
【００３０】
ヘッド部１０４は、オルタネイト動作方式の押しボタン機構１３０を有している。この押しボタン機構１３０により、押しボタン１２０を押すごとに、押しボタン１２０の位置は、第１位置（飛び出し位置）と第２位置（押し込み位置）とに切り替わる。
【００３１】
図５から図７が示すように、押しボタン機構１３０は、第１切替こま１３２、第２切替こま１３４、切替リング１３６、切替軸１３８、切替カバー１４０及びコイルスプリングＣＳ１を有する。押しボタン１２０が前後方向に移動すると、第１切替こま１３２は、第２切替こま１３４及び切替軸１３８とともに前後方向に移動する。第２切替こま１３４は、ボタンの押圧操作毎に回転し、この回転毎に、切替リング１３６に対する第２切替こま１３４の軸方向位置が切り替わる。この結果、押しボタン１２０が、異なる２つの位置（第１位置及び第２位置）で保持される。更に、ヘッド部１０４は、ヘッド本体１４４を有する。
【００３２】
この押しボタン機構１３０には、スラストロック機構である。このスラストロック機構は、ボタン機構として広く用いられている。スラストロック機構は、例えば、ボールペンにも採用されており、ボールペンの芯の出し入れを可能としている。例えば、特許第３４５４７５６号公報及び特許第５７２１６７９号公報でも、このスラストロック機構が採用されている。本実施形態の押しボタン機構１３０は、これらの特許公報に記載されている機構と同様である。
【００３３】
一般に、いわゆるオルタネイト動作方式の押しボタン機構として、ハート状カム機構、回転カム機構、ラチェットカム機構等が知られている。これらの機構はいずれも公知である。押しボタン機構１３０として、これらの機構のいずれかが採用されうる。オルタネイト動作方式を可能とするあらゆるボタン機構が採用されうる。
【００３４】
押しボタン機構１３０のオルタネイト動作の詳細は、次の通りである。飛び出し位置（第１位置）にある切替操作部１２０を押圧すると、切替操作部１２０は、最も押し込まれた位置（最大押し込み位置：第３位置）にまで移動する。押圧を解除すると、切替操作部１２０は、この最大押し込み位置（第３位置）から、押し込み位置（第２位置）に移動して静止する。押圧力を再度加えない限り、この押し込み位置（第２位置）が維持される。次に、押し込み位置（第２位置）にある切替操作部１２０を押圧すると、切替操作部１２０は、最大押し込み位置（第３位置）にまで移動する。押圧を解除すると、切替操作部１２０は、この最大押し込み位置（第３位置）から、飛び出し位置（第１位置）に移動して静止する。このように、切替操作部１２０を押すごとに、切替操作部１２０は、飛び出し位置（第１位置）と押し込み位置（第２位置）とに交互に停止すると共に、これらの相互移行毎に、最大押し込み位置（第３位置）が経由される。切替操作部１２０の可動範囲は、第１位置から第３位置までである。切替操作部１２０の移動方向は、特定方向とも称される。この特定方向は、軸方向に一致している。
【００３５】
なお、上述の通り、本願では、「前後方向」、「前方」及び「後方」との文言が用いられる。この前後方向の前方とは、水栓先端側（図１における左側）を意味する。この前後方向の後方とは、水栓本体側（図１における右側）を意味する。
【００３６】
ヘッド部１０４は、吐水口１１０から吐出される水が原水か浄水かを切り替える切替弁Ｖ１を有する。図５から図７が示すように、切替弁Ｖ１は、原水流路を開閉しうる原水弁部ＶＧと、浄水流路を開閉しうる浄水弁部ＶＪとを有している。
【００３７】
図４（ａ）及び図４（ｂ）が示すように、原水弁部ＶＧと浄水弁部ＶＪとは、直接的に連結されている。原水弁部ＶＧと浄水弁部ＶＪとは、他部材を介して間接的に連結されていてもよい。
【００３８】
図５から図７が示すように、原水弁部ＶＧは、軸体Ｚ１と、原水シール部材Ｓ１とを有する。原水シール部材Ｓ１は、Ｏリングである。原水弁部ＶＧは、２つの原水シール部材Ｓ１を有する。原水シール部材Ｓ１は、切替弁Ｖ１と同軸である。
【００３９】
浄水弁部ＶＪは、軸体Ｚ２と、浄水シール部材Ｓ２とを有する。浄水シール部材Ｓ２は、Ｏリングである。浄水弁部ＶＪは、１つの浄水シール部材Ｓ２を有する。浄水シール部材Ｓ２は、切替弁Ｖ１と同軸である。
【００４０】
図４（ａ）及び図４（ｂ）が示すように、軸体Ｚ１は軸体Ｚ２に連結されている。軸体Ｚ２は、軸体Ｚ１の後方（水性本体側）に設けられている。切替操作部１２０の切替操作に関わらず、軸体Ｚ１と軸体Ｚ２との相対的な位置関係は変わらない。軸体Ｚ１及び軸体Ｚ２は、特定方向に延びる同一の直線に沿って配置されている。すなわち、軸体Ｚ１及び軸体Ｚ２の少なくとも一部がこの直線に交わるように、軸体Ｚ１及び軸体Ｚ２が配置されている。本実施形態では、特定方向が、軸体Ｚ１の軸方向に一致している。特定方向が、軸体Ｚ２の軸方向に一致している。上記直線が、軸体Ｚ１の中心軸に一致している。上記直線が、軸体Ｚ２の中心軸に一致している。軸体Ｚ１と軸体Ｚ２とは、同軸で配置されている。
【００４１】
なお、軸体Ｚ１と軸体Ｚ２とで共通する軸方向が、本願において「軸体軸方向」とも称される。本実施形態では、特定方向が、軸体軸方向に一致している。なお、原水弁部ＶＧと浄水弁部ＶＪとで軸体が一体である場合、当該軸体の軸方向が、軸体軸方向である。
【００４２】
図４（ａ）及び図４（ｂ）が示すように、原水弁部ＶＧは、軸体Ｚ１と２つの原水シール部材Ｓ１とを有する。軸体Ｚ１の軸方向の第１位置に、第１の原水シール部材Ｓ１１が配置されている。軸体Ｚ１の軸方向の第２位置に、第２の原水シール部材Ｓ１２が配置されている。軸体Ｚ１と第１の原水シール部材Ｓ１１と第２の原水シール部材Ｓ１２とは同軸である。
【００４３】
浄水弁部ＶＪは、軸体Ｚ２と１つの浄水シール部材Ｓ２とを有する。軸体Ｚ２と浄水シール部材Ｓ２とは同軸である。
【００４４】
原水弁部ＶＧは浄水弁部ＶＪに連結されている。原水弁部ＶＧの水栓本体側に、浄水弁部ＶＪが連結されている。切替操作部１２０の操作に関わらず、原水弁部ＶＧと浄水弁部ＶＪとの相対的な位置関係は変わらない。原水弁部ＶＧ及び浄水弁部ＶＪは、特定方向に延びる同一の直線に沿って配置されている。本実施形態では、この特定方向が、原水弁部ＶＧの軸方向に一致している。本実施形態では、この特定方向が、浄水弁部ＶＪの軸方向に一致している。原水弁部ＶＧと浄水弁部ＶＪとは、同軸で配置されている。
【００４５】
なお、特に説明がない限り、原水弁部ＶＧと浄水弁部ＶＪとで共通する軸方向は、本願において単に「軸方向」とも称される。本実施形態では、特定方向が、軸方向に一致している。
【００４６】
図４（ａ）及び図４（ｂ）が示すように、水栓装置１００（ヘッド部１０４）は、隣接部としての第１隣接部Ｒ１と、隣接部としての第２隣接部Ｒ２とを有する。なお、本願では、切替弁Ｖ１に隣接する部分が、広く隣接部と総称される。隣接部は、１つの部材で構成されていてもよいし、２以上の部材で構成されていてもよい。本実施形態では、第１隣接部Ｒ１は切替カバー１４０であり、第２隣接部Ｒ２はヘッド本体１４４である。
【００４７】
第１隣接部Ｒ１は、円筒内面Ｃ１と、この円筒内面Ｃ１によって画定される円筒空洞部とを有する。円筒内面Ｃ１は、切替弁Ｖ１と同軸である。切替弁Ｖ１の移動に伴い、第１の原水シール部材Ｓ１１は、この円筒内面Ｃ１上を摺動する。円筒内面Ｃ１と原水シール部材Ｓ１１との当接位置は、軸方向に変動しうる。
【００４８】
第２隣接部Ｒ２は、円筒内面Ｃ２と、この円筒内面Ｃ２によって画定される円筒空洞部とを有する。円筒内面Ｃ２は、切替弁Ｖ１と同軸である。切替弁Ｖ１の移動に伴い、第２の原水シール部材Ｓ１２は、この円筒内面Ｃ２上を摺動する。円筒内面Ｃ２は、原水弁部ＶＧの弁座である。円筒内面Ｃ２と原水シール部材Ｓ１２との当接位置（シール位置）は、軸方向に変動しうる。つまり、原水弁部ＶＧでは、シール位置が軸方向に変動しうる。
【００４９】
図４（ａ）が示すように、第２隣接部Ｒ２は、特定方向に対して傾斜している浄水弁用傾斜面Ｋ１を有している。浄水弁用傾斜面Ｋ１は、浄水弁部ＶＪの弁座である。浄水弁用傾斜面Ｋ１は、切替弁Ｖ１と同軸である。浄水弁用傾斜面Ｋ１は、後方に向いた面である。
【００５０】
図４（ｂ）の原水吐出状態において、浄水シール部材Ｓ２は、コイルスプリングＣＳ１の付勢力によって、浄水弁用傾斜面Ｋ１に押し付けられている。コイルスプリングＣＳ１の付勢力は、切替弁Ｖ１を水栓先端側に向かって押圧している。
【００５１】
図４（ａ）及び図４（ｂ）が示すように、切替弁Ｖ１は、原水弁部ＶＧと、浄水弁部ＶＪと、コイルスプリングＣＳ１とを有する。
【００５２】
切替弁Ｖ１は、押しボタン機構１３０（切替軸１３８）に連結されている。切替弁Ｖ１は、押しボタン機構１３０のオルタネイト動作に連動して動く。切替操作部１２０（ボタン）の位置に連動して、切替弁Ｖ１は、第１位置Ｐ１、第２位置Ｐ２及び第３位置Ｐ３を採りうる。第１位置Ｐ１は、切替弁Ｖ１の可動範囲のうち、最も水栓先端側の位置である。第３位置Ｐ３は、切替弁Ｖ１の可動範囲のうち、最も水栓本体側の位置である。第２位置Ｐ２は、第１位置Ｐ１と第３位置Ｐ３との間に位置する。切替操作部１２０の移動方向は、前記特定方向である。切替弁Ｖ１の移動方向は、前記特定方向である。切替操作部１２０の操作によって、切替弁Ｖ１は、一体的に特定方向に沿って移動する。換言すれば、切替操作部１２０の操作によって、原水弁部ＶＧ及び浄水弁部ＶＪは、一体的に特定方向に沿って移動する。切替弁Ｖ１の位置に関わらず、原水弁部ＶＧと浄水弁部ＶＪとの相対的な位置関係は、変化しない。
【００５３】
図４（ｂ）が示すように、切替操作部１２０が飛び出し位置（第１位置）にあるとき、切替弁Ｖ１は第１位置Ｐ１にある。切替弁Ｖ１が第１位置Ｐ１にあるとき、原水が吐出される。図４（ａ）が示すように、切替操作部１２０が押し込み位置（第２位置）にあるとき、切替弁Ｖ１は第２位置Ｐ２にある。切替弁Ｖ１が第２位置Ｐ２にあるとき、浄水が吐出される。押しボタン機構１３０が操作されていない状態では、押しボタン機構１３０が採りうる位置は、第１位置Ｐ１及び第２位置Ｐ２のみである。第１位置Ｐ１と第２位置Ｐ２との相互移行において、第３位置Ｐ３が経由される。
【００５４】
このように、特定方向の移動により、原水弁部ＶＧが閉状態にあり且つ浄水弁部ＶＪが開状態にある浄水吐出状態と、原水弁部ＶＧが開状態にあり且つ浄水弁部ＶＪが閉状態にある原水吐出状態とが達成されている。切替操作部１２０を押すだけで、浄水吐出状態と原水吐出状態との相互移行が可能である。切替弁Ｖ１の移動だけで、原水弁部ＶＧ及び浄水弁部ＶＪの弁が開閉しうる。
【００５５】
図４（ｂ）が示す原水吐出状態では、第１の原水シール部材Ｓ１１は円筒内面Ｃ１に当接しているが、第２の原水シール部材Ｓ１２は円筒内面Ｃ２に当接していない。切替弁Ｖ１の移動に伴い、浄水シール部材Ｓ２は、円筒内面Ｃ２によって画定される円筒空洞部から抜けだしており、円筒内面Ｃ２よりも水栓先端側に位置する。第２の原水シール部材Ｓ１２は、円筒内面Ｃ１と円筒内面Ｃ２との間の空間部に位置しており、非当接状態にある。この結果、円筒内面Ｃ２における止水が解除され、原水が円筒内面Ｃ２の内側の円筒空洞部に流れ込む。この原水が吐水口１１０から排出される。このように、第２の原水シール部材Ｓ１２と円筒内面Ｃ２との当接が解除されることで、原水弁部ＶＧの開状態が達成されている。一方、この原水吐出状態において、浄水弁部ＶＪは閉状態にある。すなわち、浄水シール部材Ｓ２と浄水弁用傾斜面Ｋ１との当接により、浄水が止められている。
【００５６】
図４（ａ）が示す浄水吐出状態では、第１の原水シール部材Ｓ１１が円筒内面Ｃ１に内側から当接し、且つ、第２の原水シール部材Ｓ１２が円筒内面Ｃ２に内側から当接している。これらの当接により、原水弁部ＶＧの閉状態が達成されている。一方、この浄水吐出状態において、浄水弁部ＶＪは開状態にある。浄水吐出状態では、浄水シール部材Ｓ２が浄水弁用傾斜面Ｋ１から離れている。浄水シール部材Ｓ２は浄水弁用傾斜面Ｋ１よりも水栓本体側に位置する。浄水シール部材Ｓ２と浄水弁用傾斜面Ｋ１との間から浄水が流れ込み、この浄水が、吐水口１１０から吐出される。
【００５７】
図８は、水栓装置１００の分解斜視図である。ヘッド部１０４に関して、図８では、ヘッド本体１４４の外側に配置された部材が示されている。
【００５８】
グリップ部１０２は、グリップ本体１０２ａと、グリップカバー１０２ｂとを有する。グリップ本体１０２ａは、係合孔部Ｅ１を有する。係合孔部Ｅ１は、グリップ本体１０２ａを貫通している。グリップカバー１０２ｂは、グリップ本体１０２ａの略全体を覆っている。グリップカバー１０２ｂは、係合孔部Ｅ１を覆っている。係合孔部Ｅ１は、外部から視認されない。グリップカバー１０２ｂは、外観性を高める。また、係合孔部Ｅ１がグリップカバー１０２ｂで覆われているため、係合孔部Ｅ１から内部に水が浸入することが防止される。
【００５９】
なお、グリップカバー１０２ｂを設けずに、グリップ本体１０２ａの内面に凹部を設けて、これを係合孔部Ｅ１とすることもできる。この場合も、係合孔部Ｅ１は外部から視認されない。ただし、筒状のグリップ本体１０２ａの内面に凹部を設けるのは、製造上、容易ではない。貫通孔の方が製造が容易である。本実施形態では、貫通孔とグリップカバー１０２ｂとを用いることで、外観性を高めつつ，製造が容易とされている。
【００６０】
グリップ部１０２には、ヘッド部１０４の一部（挿入部１５４）が挿入されている。挿入部１５４が挿入されているグリップ部１０２の空間が、内方空間部１０２ｃである（図４（ａ）及び図４（ｂ）参照）。係合孔部Ｅ１は、内方空間部１０２ｃに面して設けられている。更にグリップ部１０２は、第１当接面Ｆ１を有する（図８参照）。本実施形態では、第１当接面Ｆ１は、グリップ部１０２の前方の端面である。
【００６１】
ヘッド部１０４は、ヘッド本体１４４と、第１ヘッドカバー１５０と、第２ヘッドカバー１５２とを有する。また、ヘッド部１０４は、グリップ部１０２に挿入される挿入部１５４を有する。第１ヘッドカバー１５０と第２ヘッドカバー１５２とにより、挿入部１５４を除くヘッド部１０４の全体が覆われている。ヘッドカバー１５０は、解除ボタン２００（後述）を貫通させるための貫通孔１５６を有する。
【００６２】
ヘッド部１０４は、伝達部材１６０（第１伝達部材１６０Ｒ、第２伝達部材１６０Ｌ）を有する。第１伝達部材１６０Ｒと第２伝達部材１６０Ｌとは、切替弁Ｖ１の軸線を含む平面に対して互いに対称に配置されている。すなわち、第１伝達部材１６０Ｒと第２伝達部材１６０Ｌとは、互いに鏡像の関係にある。
【００６３】
ヘッド部１０４は、弾性体１８０（第１弾性体１８０Ｒ、第２弾性体１８０Ｌ）を有する。第１弾性体１８０Ｒは、第１伝達部材１６０Ｒとヘッド本体１４４との間に配置されている。上面開口線８０Ｌは、第２伝達部材１６０Ｌとヘッド本体１４４との間に配置されている。第１弾性体１８０Ｒと第２弾性体１８０Ｌとは、切替弁Ｖ１の軸線を含む平面に対して互いに対称に配置されている。すなわち、第１弾性体１８０Ｒと第２弾性体１８０Ｌとは、互いに鏡像の関係にある。本実施形態では、弾性体１８０は、コイルスプリングである。コイルスプリング以外の弾性体が用いられても良い。
【００６４】
ヘッド部１０４は、解除ボタン２００（第１解除ボタン２００Ｒ、第２解除ボタン２００Ｌ）を有する。第１解除ボタン２００Ｒは、第１伝達部材１６０Ｒの外側に取り付けられている。第２解除ボタン２００Ｌは、第２伝達部材１６０Ｌの外側に取り付けられている。第１解除ボタン２００Ｒと第２解除ボタン２００Ｌとは、切替弁Ｖ１の軸線を含む平面に対して互いに対称に配置されている。すなわち、第１解除ボタン２００Ｒと第２解除ボタン２００Ｌとは、互いに鏡像の関係にある。解除ボタン２００（操作部）の操作方向（移動方向）は、特定方向に対して垂直である。第１解除ボタン２００Ｒ（の中心）と第２解除ボタン２００Ｌ（の中心）とは同一直線上に位置する。更に、第１解除ボタン２００Ｒと第２解除ボタン２００Ｌとで、操作力の向きは互いに逆向きである。よって、両者に加わる操作力が相殺され、ヘッド部１０４とグリップ部１０２との接合部に作用する応力が抑制されている。
【００６５】
図９（ａ）は、伝達部材１６０（第１伝達部材１６０Ｒ、第２伝達部材１６０Ｌ）の斜視図である。図９（ｂ）は、伝達部材１６０を上側から見た側面図である。図９（ｃ）は、伝達部材１６０の内面を示す裏面図である。図９（ｄ）は、伝達部材１６０を下側から見た側面図である。図９（ｅ）は、伝達部材１６０の外面を示す平面図である。なお、第１伝達部材１６０Ｒと第２伝達部材１６０Ｌとは共通化されているので、以下では、この部材を伝達部材１６０として説明する。
【００６６】
伝達部材１６０は、その外側の面に、係合突起Ｔ１と、傾斜面Ｙ１と、段差面Ｄ１とを有する。段差面Ｄ１は、係合突起Ｔ１の前方に位置する。傾斜面Ｙ１は、係合突起Ｔ１に隣接している。傾斜面Ｙ１は、係合突起Ｔ１の後方に位置する。傾斜面Ｙ１は、後方（先端側）にいくほどヘッド部１０４の中心側となるように傾斜している。傾斜面Ｙ１の前方縁は、係合突起Ｔ１と傾斜面Ｙ１との境界である。傾斜面Ｙ１の後方縁は、伝達部材１６０の後端に位置する。傾斜面Ｙ１は、本願にいう第２当接面の一例である。
【００６７】
なお、第２当接面は、傾斜面Ｙ１でなくてもよいが、ヘッド部１０４の装着を円滑とする観点から、傾斜面Ｙ１が好ましい。傾斜面Ｙ１は、平面でもよいし、曲面でもよい。ヘッド部１０４の装着を円滑とする観点及び製造容易性の観点から、平面が好ましい。
【００６８】
伝達部材１６０は、その内側の面に、ヘッド係合部１６２を有する。ヘッド係合部１６２は、突起である。ヘッド係合部１６２は、円柱状の突起である。ヘッド係合部１６２は、２箇所に設けられている。
【００６９】
伝達部材１６０は、その内側の面に、弾性体配置部１６４を有する。弾性体配置部１６４は、凹部である。弾性体配置部１６４は、円筒状の凹部を形成している。弾性体配置部１６４は、着座底面１６６と円周側面１６８とを有する。弾性体配置部１６４は、係合突起Ｔ１の前方に位置する。弾性体配置部１６４の前方に、第１のヘッド係合部１６２が位置する。ヘッド係合部１６２の後方に、第２のヘッド係合部１６２が位置する。
【００７０】
伝達部材１６０は、ボタン係合部１７０を有する。ボタン係合部１７０は、貫通孔である。
【００７１】
図１０（ａ）は、解除ボタン２００（第１解除ボタン２００Ｒ、第２解除ボタン２００Ｌ）の斜視図である。 図１０（ｂ）は、伝達部材１６０を上側から見た側面図である。図１０（ｃ）は、伝達部材１６０の内面を示す裏面図である。図１０（ｄ）は、伝達部材１６０を下側から見た側面図である。図１０（ｅ）は、伝達部材１６０の外面を示す平面図である。なお、第１解除ボタン２００Ｒと第２解除ボタン２００Ｌとは共通化されているので、以下では、この部材を解除ボタン２００として説明する。
【００７２】
解除ボタン２００は、操作押圧面２０２と、内側係合部２０４と、側面２０６とを有する。操作押圧面２０２は、滑らかな曲面である。この曲面は、ヘッドカバー１５０の表面の形状に対応している。図１０（ｃ）及び図１０（ｅ）が示すように、解除ボタン２００の輪郭形状は、円形である。解除ボタン２００の輪郭形状は、ヘッドカバー１５０の貫通孔１５６の形状に対応している。
【００７３】
図１１（ａ）は、伝達部材１６０に解除ボタン２００が固定された状態を示す平面図である。図１１（ｂ）は、図１１（ａ）のＡ−Ａ線に沿った断面図である。図１１（ｃ）は、図１１（ａ）のＢ−Ｂ線に沿った断面図である。
【００７４】
図１０と図９との対比で明らかなように、内側係合部２０４の輪郭形状は、伝達部材１６０のボタン係合部１７０の形状に対応している。図１１（ｃ）が示すように、内側係合部２０４をボタン係合部１７０に挿入することで、解除ボタン２００が伝達部材１６０に固定されている。内側係合部２０４に設けられた小突起２０８により、固定強度が高められている。小突起２０８により、嵌め殺しの固定が達成されている。
【００７５】
図１２（ａ）は、ヘッド本体１４４の斜視図である。図１２（ｂ）は、ヘッド本体１４４の平面図である。図１２（ｃ）は、ヘッド本体１４４の側面図である。図１２（ｄ）は、ヘッド本体１４４を前方から見た正面図である。
【００７６】
ヘッド本体１４４は、前述の挿入部１５４と、第１伝達部材１６０Ｒ等が取り付けられる第１側面部２２２Ｒと、第２伝達部材１６０Ｌ等が取り付けられる第２側面部２２２Ｌとを有する。
【００７７】
第１側面部２２２Ｒは、伝達部材１６０（第１伝達部材１６０Ｒ）のヘッド係合部１６２が係合する側面係合部２２４Ｒを有する。２箇所の側面係合部２２４Ｒが設けられている。２箇所のヘッド係合部１６２のそれぞれが、これらの側面係合部２２４Ｒに係合している。側面係合部２２４Ｒはスライド孔である。この側面係合部２２４Ｒの内部を、ヘッド係合部１６２が摺動しうる。
【００７８】
第２側面部２２２Ｌは、伝達部材１６０（第２伝達部材１６０Ｌ）のヘッド係合部１６２が係合する側面係合部２２４Ｌを有する。２箇所の側面係合部２２４Ｌが設けられている。２箇所のヘッド係合部１６２のそれぞれが、これらの側面係合部２２４Ｌに係合している。側面係合部２２４Ｌはスライド孔である。この側面係合部２２４Ｌの内部を、ヘッド係合部１６２が摺動しうる。
【００７９】
このように、伝達部材１６０は、ヘッド係合部１６２と側面係合部２２４とのスライド係合部によって、変位可能に支持されている。更に、これらのスライド係合部が２箇所に設けられている。このため、伝達部材１６０は、その姿勢を安定的に維持しつつ、変位することができる。
【００８０】
図１２が示すように、ヘッド本体１４４は、弾性体保持部２３０を有する。第１側面部２２２Ｒに、弾性体保持部２３０Ｒが設けられている。第２側面部２２２Ｌに、弾性体保持部２３０Ｌが設けられている。
【００８１】
弾性体保持部２３０は、突起である。第１弾性体１８０Ｒの一端部に、弾性体保持部２３０Ｒが挿入されている。第２弾性体１８０Ｌの一端部に、弾性体保持部２３０Ｌが挿入されている。
【００８２】
弾性体１８０は、弾性体保持部２３０と弾性体配置部１６４とにより、伸縮可能な状態で安定的に支持されている。弾性体１８０は、伝達部材１６０を外側に付勢している。
【００８３】
このように構成された水栓装置１００において、ヘッド部１０４は、グリップ部１０２に対して、取り外し可能に取り付けられている。
【００８４】
グリップ部１０２は、ヘッド部１０４の一部（挿入部１５４）が挿入される内方空間部１０２ｃと、内方空間部１０２ｃに面して設けられた係合孔部Ｅ１と、第１当接面Ｆ１とを有する（図８参照）。本実施形態では、第１当接面Ｆ１は、グリップ部１０２の前端面である。もちろん、第１当接面Ｆ１は、グリップ部１０２の前端面に限定されず、第２当接面に当接しうる位置にあればよい。
【００８５】
図１３は、ヘッド部１０４の取付工程を示している。図１３（ａ）は、ヘッド部１０４がグリップ部１０２に装着される途中の段階を示す断面図である。図１３（ｂ）は、この装着が完了した正規装着状態を示す断面図である。ヘッド部１０４がグリップ部１０２に取り付けられる際には、図１３（ａ）の状態（挿入段階）から図１３（ｂ）の正規装着状態へと進行する。
【００８６】
この取付工程では、先ず、挿入部１５４の内方空間部１０２ｃへの挿入が開始される。挿入部１５４の一部が内方空間部１０２ｃに挿入されているが、傾斜面Ｙ１が第１当接面Ｆ１から力を受けていない状態が、挿入開始段階とも称される。この挿入開始段階において、傾斜面Ｙ１（第２当接面）が、第１当接面Ｆ１（グリップ部１０２の前端面）に当接する（図１３（ａ）の拡大部参照）。第１伝達部材１６０Ｒと第２伝達部材１６０Ｌの両方において、傾斜面Ｙ１が第１当接面Ｆ１に当接する。このとき、解除ボタン２００の操作は不要である。操作部（解除ボタン２００）に外力が作用していない非操作状態において、傾斜面Ｙ１の後端（先端）Ｙ１１は、第１当接面Ｆ１よりも内側に位置している。すなわち、挿入開始段階において、傾斜面Ｙ１の後端Ｙ１１は、第１当接面Ｆ１よりも内側に位置している。挿入開始段階における２つの傾斜面Ｙ１における後端Ｙ１１は、いずれも、前記非操作状態において、第１当接面Ｆ１（グリップ部１０２の前端面）の内側に位置しうる。前記非操作状態において、全ての傾斜面Ｙ１（第２当接面）のそれぞれは、第１当接面Ｆ１に当接しうる位置にある。このため、解除ボタン２００を操作することなく、傾斜面Ｙ１は第１当接面Ｆ１に当接する。
【００８７】
この状態で、ヘッド部１０４をグリップ部１０２に押し込む（図１３（ａ）の黒塗り矢印を参照）。この押し込みにより、傾斜面Ｙ１は、第１当接面Ｆ１から押圧されつつ、後方（グリップ部１０２側）に移動する。この移動と同時に、傾斜面Ｙ１は、第１当接面Ｆ１に押されて、内側（ヘッド部１０４の中心側）に変位する。傾斜面Ｙ１は平面又は滑らかな曲面であるので、第１当接面Ｆ１は傾斜面Ｙ１上を摺動し、傾斜面Ｙ１の内側への変位は円滑に進行する。この傾斜面Ｙ１と共に、係合突起Ｔ１も内側に変位する。
【００８８】
更にヘッド部１０４を押し込むと、第１当接面Ｆ１によって傾斜面Ｙ１が更に内側に押し込まれ、係合突起Ｔ１は、退行位置に達する。更にヘッド部１０４を押し込むと、係合突起Ｔ１は、係合孔部Ｅ１の位置に達し、係合孔部Ｅ１に入り込む。なぜなら、係合突起Ｔ１は弾性体１８０により外側に付勢されているからである。係合突起Ｔ１は、係合孔部Ｅ１の位置に達すると、弾性体１８０の付勢力によって係合位置に移動（突出）しつつ、係合孔部Ｅ１に入り込む。これにより正規装着状態となる。正規装着状態では、段差面Ｄ１と、係合孔部Ｅ１の内面とが係合しているため、ヘッド部１０４の係止は確実である。
【００８９】
このように、ヘッド部１０４の挿入に伴う第１当接面Ｆ１と傾斜面Ｙ１（第２当接面）との当接により、係合突起Ｔ１は退行位置にまで変位するように構成されている。ヘッド部１０４の挿入に伴う第１当接面Ｆ１と傾斜面Ｙ１（第２当接面）との当接により、係合突起Ｔ１は、操作部２００の操作を伴うこと無く、退行位置にまで変位するように構成されている。よって、ヘッド部１０４の取付は、ヘッド部１０４をグリップ部１０２に挿入するだけでよく、操作部（解除ボタン２００）の操作は不要である。
【００９０】
図１４は、ヘッド部１０４の取り外し工程を示している。図１４（ａ）は解除ボタン２００が押圧された状態を示す断面図である。図１４（ｂ）は、この取り外しがほぼ完了した状態を示す断面図である。
【００９１】
この取り外し工程では、先ず、解除ボタン２００が押圧される（図１４（ａ）の小さな黒塗り矢印を参照）。この押圧により、解除ボタン２００は内側に移動（退行）する。この解除ボタン２００の移動により、解除ボタン２００が取り付けられている伝達部材１６０も内側に移動する。この結果、伝達部材１６０の一部である係合突起Ｔ１も内側に移動する。
【００９２】
解除ボタン２００の操作により、係合突起Ｔ１が退行位置にまで移動される（図１４（ａ））。この移動により、係合突起Ｔ１と係合孔部Ｅ１との係合が解除される。この係合が解除された状態で、ヘッド部１０４をグリップ部１０２から引き抜くことで（図１４（ａ）の大きな黒塗り矢印参照）、ヘッド部１０４の取り外しが完了する。図１４（ｂ）では、係合突起Ｔ１が内方空間部１０２ｃから外に出ている。
【００９３】
このように、ヘッド部１０４の着脱は容易である。ヘッド部１０４の装着は、操作部２００を操作することなく、ヘッド部１０４を挿入するだけでよい。ヘッド部１０４の取り外しは、操作部２００を押圧しながらヘッド部１０４を引き抜くだけでよい。ビス等の外部部品は存在しないので、当該部品の紛失ということもない。素手で簡単に着脱することができ、着脱時の治具も不要である。
【００９４】
この着脱構造は、ヘッド部１０４とグリップ部１０２との相対回転を伴う回転方式ではない。よって、結合部の形状が、円筒形状に限定されない。結果として、形状の設計自由度に優れた水栓装置が実現する。例えば、水栓装置１００のような、美観性に優れたデザインも可能となる。
【００９５】
係合孔部Ｅ１はグリップカバー１０２ｂで覆われているので、外部から視認されない。係合孔部Ｅ１に係合している係合突起Ｔ１も、外部から視認されない。よって、美観性に優れる。更に、操作部（解除ボタン２００）の外面（操作押圧面２０２）の形状が、その周囲のヘッド部１０４の外面に対応した形状とされている（図３参照）。このため、美観性がより一層高められている。
【００９６】
上述の通り、操作部（解除ボタン２００）の動きは、係合突起Ｔ１に伝達されている。上記実施形態では、伝達部材１６０が、係合突起Ｔ１を有している。よって、本実施形態では、操作部２００の動きを係合突起Ｔ１に伝達する伝達部は、伝達部材１６０の一部である。係合突起Ｔ１と伝達部とが一体とされることで、操作部２００の動きが確実に係合突起Ｔ１に伝達される。また、この一体構造により、構造が単純化されているので、耐久性が向上すると共に、組み立てが容易となる。後述の第２実施形態でも、伝達部が、係合突起Ｔ３と一体の部材（第１伝達部材３６０Ｌ）を含んでいる。
【００９７】
もちろん、上記伝達部は、係合突起Ｔ１とは別の部材であってもよい。また例えば、伝達部材１６０が操作部を含んだ一体部材であってもよい。後述の第２実施形態では、伝達部が、係合突起Ｔ３を有する部材（第１伝達部材３６０Ｌ）とは別の部材（第２伝達部材３６０Ｕ及び第３伝達部材３６０Ｃ）を含んでいる。このうち、第２伝達部材３６０Ｕは、係合突起Ｔ３とは別の係合突起Ｔ２を有している。
【００９８】
図１５（ａ）は、ヘッドカバー１５０の斜視図であり、図１５（ｂ）はヘッドカバー１５０の平面図であり、図１５（ｃ）はヘッドカバー１５０の側面図であり、図１５（ｄ）はヘッドカバー１５０を後方から見た背面図である。
【００９９】
本実施形態では、ヘッドカバー１５０の外形が、ヘッド部１０４の外形である。ただし、解除ボタン２００が配置されている部分については、解除ボタン２００の外面（操作押圧面２０２）が、ヘッド部１０４の外形である。解除ボタン２００が配置されている位置において、ヘッド部１０４の外形（ヘッドカバー１５０の外形）は、偏平形状である。解除ボタン２００が配置されている部分において、ヘッド部１０４の外形（輪郭）の断面線が、以下において操作領域断面線とも称される。この操作領域断面線は、その全体が、滑らかな曲線によって構成されている。この操作領域断面線の一部は、解除ボタン２００の外面（操作押圧面２０２）によって構成されている。この操作領域断面線は、楕円状である。なお、この操作領域断面線は、上記特定方向に対して垂直な方向に沿った断面における断面線である。
【０１００】
この外形（操作領域断面線）は、幅広方向Ｗを有する。幅広方向Ｗとは、上記操作領域断面線において、横断幅が最大となる方向である。横断幅とは、操作領域断面線を横切る線分の長さであり、換言すれば、操作領域断面線と任意の直線との間の２つの交点間の距離である。この外形（操作領域断面線）は、幅狭方向Ｎを有する。幅狭方向Ｎとは、上記操作領域断面線において、横断幅が最小となる方向である。
【０１０１】
この幅広方向Ｗの両側に、解除ボタン２００が設けられている。図１５における貫通孔１５６の位置に、解除ボタン２００が設けられている（図３参照）。
【０１０２】
この幅広方向Ｗの両側に、解除ボタン２００が設けられている。従って、解除ボタン２００は、押し込み操作性に優れる。特に、幅広方向Ｗの両側から挟み込むようにして解除ボタン２００を押圧することになるため、２つの解除ボタン２００を同時に押す操作が行いやすい。加えて、２つの解除ボタン２００は、切替弁Ｖ１の軸線を含む平面に対して互いに対称に配置されている。また、解除ボタン２００の押圧方向（移動方向）は、前記特定方向に対して垂直である。よって、２つの解除ボタン２００を同時に押す操作がより一層容易とされている。
【０１０３】
[第２実施形態]
図１６は、第２実施形態に係る水栓装置３００の側面図である。図１７（ａ）は水栓装置３００の上面図であり、図１７（ｂ）は水栓装置３００の下面図である。図１８は、水栓装置３００の分解斜視図である。図１９（ａ）及び図１９（ｂ）は、水栓装置３００の断面図である。図１６から図１８及び図１９（ａ）において、切替操作ボタン３２０（後述）は飛び出し位置にある。一方、図１９（ｂ）において、切替操作ボタン３２０は押し込み位置にある。図１９（ａ）は、浄水吐出状態を示す。図１９（ｂ）は、原水吐出状態を示す。
【０１０４】
水栓装置３００は、吐水を原水と浄水とに切り替えることが可能な浄水機能付き水栓装置である。水栓装置３００において、切替操作ボタンの位置と吐水切替との関係は、次の通りである。
（ａ）切替操作ボタンが飛び出し位置にあるとき（ボタン凸）、浄水が吐出される。
（ｂ）切替操作ボタンが押し込み位置にあるとき（ボタン凹）、原水が吐出される。
【０１０５】
水栓装置３００は、グリップ部３０２と、ヘッド部３０４とを有する。グリップ部３０２には、水質浄化材（水質浄化カートリッジ３０６）が内蔵されている。グリップ部３０２は、水質浄化カートリッジ３０６を配置するための空洞部と、この空洞部を画定する内面ｅ２と、この空洞部に挿入された水質浄化カートリッジ３０６とを有する。この水質浄化カートリッジ３０６は、交換可能である。水質浄化カートリッジ３０６の構成及び機能は、前述した水質浄化カートリッジ１０６と同様である。
【０１０６】
ヘッド部３０４は、切替操作部３２０を有する。本実施形態では、切替操作部３２０は、切替操作ボタンである。この切替操作部３２０は、押しボタンである。切替操作ボタン３２０は、原水流路と浄水流路とを切り替えるボタンとして機能する。  
【０１０７】
水栓装置３００は、水栓本体から取り外して使用されうる。この場合、グリップ部３０２が把持される。
【０１０８】
ヘッド部３０４は、グリップ部３０２の下流側に位置する。ヘッド部３０４は、水栓装置３００の先端部を構成している。ヘッド部３０４は、グリップ部３０２に、取り外し可能に取り付けられている。水質浄化カートリッジ３０６を交換する際には、ヘッド部３０４がグリップ部３０２から取り外され、古い水質浄化カートリッジ３０６が水栓先端側から引き抜かれ、新しい水質浄化カートリッジ３０６が水栓先端側から前記空洞部に挿入される。
【０１０９】
ヘッド部３０４は、吐水口３１０を有する。水は、吐水口３１０から吐出される。浄水又は原水のいずれかが、吐水口３１０から吐出される。水栓装置３００は、水質浄化材を透過して吐水口３１０へと至る浄水流路と、水質浄化材を透過せずに吐水口３１０へと至る原水流路と、を有している。
【０１１０】
図２０は、ヘッド部３０４の内部部品の分解側面図である。図２１は、図２０の断面図である。図２２は、図２０の平面図である。
【０１１１】
ヘッド部３０４は、オルタネイト動作方式の押しボタン機構３３０を有している。この押しボタン機構３３０により、押しボタン３２０を押すごとに、押しボタン３２０の位置は、第１位置（飛び出し位置）と第２位置（押し込み位置）とに切り替わる。
【０１１２】
図２０から図２２が示すように、押しボタン機構３３０は、第１切替こま３３２、第２切替こま３３４、切替リング３３６、切替軸３３８、第１切替ケース３４０、Ｏリング３４２，第２切替ケース３４４、パッキン３４６、第３切替ケース３４８、Ｏリング３５０、コイルスプリングＣＳ１及びコイルスプリングＣＳ２を有する。更に、ヘッド部３０４は、ヘッド本体３５１を有する。押しボタン３２０が前後方向に移動すると、第１切替こま３３２は、第２切替こま３３４及び切替軸３３８とともに前後方向に移動する。第２切替こま３３４は、ボタンの押圧操作毎に回転し、この回転毎に、切替リング３３６に対する第２切替こま３３４の軸方向位置が切り替わる。この結果、押しボタン３２０が、異なる２つの位置（第１位置及び第２位置）で保持される。
【０１１３】
ヘッド本体３５１は、リンク支持部３５７を有する。ヘッド本体３５１の左右両側に、リンク支持部３５７が設けられている。リンク支持部３５７は、円筒の突出部である。リンク支持部３５７は、挿入孔を有している。この挿入孔に、第３伝達部材３６０Ｃの回転支持部３９２（後述）が挿入される。
【０１１４】
この押しボタン機構３３０でも、スラストロック機構が用いられている。前述した押しボタン機構３３０と同様に、この押しボタン機構３３０は、オルタネイト動作方式の押しボタン機構である。押しボタン機構３３０のオルタネイト動作は、前述の第１実施形態と同様である。
【０１１５】
ヘッド部３０４は、吐水口から吐出される水が原水か浄水かを切り替える切替弁Ｖ２を有する。図２０から図２２が示すように、切替弁Ｖ２は、原水流路を開閉しうる原水弁部ＶＧと、浄水流路を開閉しうる浄水弁部ＶＪとを有している。更に、切替弁Ｖ２は、弁継ぎ手Ｚ３を有する。弁継ぎ手Ｚ３の一端部は、軸体Ｚ１に接続されている。弁継ぎ手Ｚ３の他端部は、軸体Ｚ２に接続されている。原水弁部ＶＧと浄水弁部ＶＪとは、弁継ぎ手Ｚ３を介して間接的に連結されている。原水弁部ＶＧと浄水弁部ＶＪとの間の位置関係は、変化しうる。
【０１１６】
原水弁部ＶＧは、軸体Ｚ１と、原水シール部材ＰＫ１とを有する。原水シール部材ＰＫ１は、パッキンである。原水シール部材ＰＫ１は、軸体Ｚ１に取り付けられている。
【０１１７】
浄水弁部ＶＪは、軸体Ｚ２と、浄水シール部材Ｓ２とを有する。浄水シール部材Ｓ２は、Ｏリングである。浄水シール部材Ｓ２は、軸体Ｚ２に取り付けられている。
【０１１８】
図１９（ａ）及び図１９（ｂ）が示すように、水栓装置３００（ヘッド部３０４）は、隣接部としての第１隣接部Ｒ１と、隣接部としての第２隣接部Ｒ２とを有する。上述の通り、本願では、切替弁Ｖ２に隣接する部分が、広く隣接部と総称される。
【０１１９】
第１隣接部Ｒ１は、原水弁用当接面Ｍ１を有している（図１９（ｂ）参照）。この原水弁用当接面Ｍ１は、後方に向いた面である。この原水弁用当接面Ｍ１が軸方向に対して垂直な面とされ、この垂直な面が原水シール部材ＰＫ１と当接してシール機能をなす面シールが構成されてもよい。また、第３切替ケース３４８の後方側の端部の基面から後方側に突出するリップ部が設けられ、このリップ部が原水シール部材ＰＫ１と当接してシール機能をなすリップシールが構成されてもよい。なお、シール性を高める為には、リップ部を備える構成、つまり、リップシールが好ましい。前記リップ部の最先端部に平面（軸方向に対して垂直な平面）が形成されていてもよいし、前記リップ部の最先端部が曲面とされ、当該最先端部に平面がない構成とされてもよい。最先端部に平面がない構成としても、その最先端部は原水シール部材ＰＫ１に当接すると変形するので、その当接面は原水弁用当接面Ｍ１として機能する。このように、原水弁用当接面Ｍ１は、第３切替ケース３４８の後端面又は当該後端面部分に配置されるリップ部とされうる。
【０１２０】
第２隣接部Ｒ２は、浄水弁用当接面Ｋ１を有している。この浄水弁用当接面Ｋ１は、浄水弁用傾斜面である。前述した第１実施形態では、浄水弁用当接面Ｋ１は後方に向いた面であるが、本第２実施形態では、浄水弁用当接面Ｋ１は、前方に向いた面である。
【０１２１】
図１９（ｂ）の原水吐出状態において、押しボタン３２０は押し込み位置にある。このとき、浄水シール部材Ｓ２は浄水弁用傾斜面Ｋ１に当接しており、原水シール部材ＰＫ１は原水弁用当接面Ｍ１から離れている。つまりこのとき、原水弁部ＶＧは開状態にあり、浄水弁部ＶＪは閉状態にある。
【０１２２】
図１９（ａ）の浄水吐出状態において、押しボタン３２０は飛び出し位置にある。このとき、浄水シール部材Ｓ２は浄水弁用傾斜面Ｋ１から離れており、原水シール部材ＰＫ１は原水弁用当接面Ｍ１に当接している。つまりこのとき、原水弁部ＶＧは閉状態にあり、浄水弁部ＶＪは開状態にある。
【０１２３】
切替弁Ｖ２は、押しボタン機構３３０の一部である。切替弁Ｖ２は、押しボタン機構３３０におけるオルタネイト動作にて動く。切替操作部３２０（ボタン）の位置に連動して、切替弁Ｖ２は、第１位置Ｐ１、第２位置Ｐ２及び第３位置Ｐ３を採りうる。第１位置Ｐ１は、切替弁Ｖ２の可動範囲のうち、最も水栓先端側の位置である。第３位置Ｐ３は、切替弁Ｖ２の可動範囲のうち、最も水栓本体側の位置である。第２位置Ｐ２は、第１位置Ｐ１と第３位置Ｐ３との間に位置する。切替操作部３２０の移動方向は、前記特定方向である。切替弁Ｖ２の移動方向は、前記特定方向である。切替操作部３２０の操作によって、切替弁Ｖ２は、特定方向に沿って移動する。換言すれば、切替操作部３２０の操作によって、原水弁部ＶＧ及び浄水弁部ＶＪは、特定方向に沿って移動する。
【０１２４】
図１９（ｂ）が示すように、切替操作部３２０が押し込み位置（第２位置）にあるとき、切替弁Ｖ２は第２位置Ｐ２にある。切替弁Ｖ２が第２位置Ｐ２にあるとき、原水が吐出される。図１９（ａ）が示すように、切替操作部３２０が飛び出し位置（第１位置）にあるとき、切替弁Ｖ２は第１位置Ｐ１にある。切替弁Ｖ２が第１位置Ｐ１にあるとき、浄水が吐出される。押しボタン機構３３０が操作されていない状態では、押しボタン機構３３０が採りうる位置は、第１位置Ｐ１及び第２位置Ｐ２のみである。第１位置Ｐ１と第２位置Ｐ２との相互移行において、第３位置Ｐ３が経由される。
【０１２５】
このように、特定方向の移動により、原水弁部ＶＧが閉状態にあり且つ浄水弁部ＶＪが開状態にある浄水吐出状態と、原水弁部ＶＧが開状態にあり且つ浄水弁部ＶＪが閉状態にある原水吐出状態とが達成されている。切替操作部３２０を押すだけで、浄水吐出状態と原水吐出状態との相互移行が可能である。切替弁Ｖ２の移動だけで、原水弁部ＶＧ及び浄水弁部ＶＪの弁が開閉しうる。
【０１２６】
図２３は、ヘッド部３０４の分解斜視図である。図２４は、グリップ部３０２の分解斜視図である。なお、図２３では、操作ボタン３２０の記載が省略されている。
【０１２７】
図２４が示すように、グリップ部３０２は、グリップ本体３０２ａと、グリップカバー３０２ｂとを有する。グリップ本体３０２ａは、係合孔部Ｅ２を有する。係合孔部Ｅ２は、グリップ本体３０２ａを貫通している。グリップカバー３０２ｂは、グリップ本体３０２ａの略全体を覆っている。グリップカバー３０２ｂは、係合孔部Ｅ２を覆っている。係合孔部Ｅ２は、外部から視認されない。グリップカバー３０２ｂは、外観性を高める。また、係合孔部Ｅ２がグリップカバー３０２ｂで覆われているため、係合孔部Ｅ２からの水の浸入が防止される。
【０１２８】
なお、グリップカバー３０２ｂを設けずに、グリップ本体３０２ａの内面に凹部を設けて、これを係合孔部Ｅ２とすることもできる。この場合も、係合孔部Ｅ２は外部から視認されない。ただし、筒状のグリップ本体３０２ａの内面に凹部を設けるのは、製造上、容易ではない。貫通孔の方が製造が容易である。本実施形態では、貫通孔とグリップカバー３０２ｂとを用いることで、外観性を高めつつ，製造が容易とされている。
【０１２９】
グリップ部３０２には、ヘッド部３０４の一部が挿入されている。図１８が示すように、ヘッド３０４のうち、グリップ部３０２に挿入される部分が、挿入部３５４と称される。挿入部３５４が挿入されているグリップ部３０２の空間が、内方空間部と称される。係合孔部Ｅ２は、この内方空間部に面して設けられている。更にグリップ部３０２は、第１当接面Ｆ２を有する（図１８及び図２４参照）。本実施形態では、第１当接面Ｆ２は、グリップ部３０２（グリップ本体３０２ａ）の前方の端面である。
【０１３０】
図２３が示すように、ヘッド部３０４は、ヘッド本体３５１と、ヘッドカバー３５５とを有する。また、ヘッド部３０４は、グリップ部３０２に挿入される挿入部３５４を有する。ヘッドカバー３５５により、挿入部３５４を除くヘッド部３０４が覆われている。  
【０１３１】
ヘッド部３０４は、伝達部を構成する伝達部材３６０を有する。ヘッド部３０４は、伝達部材３６０として、第１伝達部材３６０Ｌ、第２伝達部材３６０Ｕ及び第３伝達部材３６０Ｃを有する。伝達部材３６０は、第１伝達部材３６０Ｕと、第２伝達部材３６０Ｌ、第３伝達部材３６０Ｃとで構成されている。第１伝達部材３６０Ｌは、ヘッド本体３５１の下側に取り付けられている。第２伝達部材３６０Ｕは、ヘッド本体３５１の上側に取り付けられている。第３伝達部材３６０Ｃは、２つである。第３伝達部材３６０Ｃは、ヘッド本体３５１の右側と、ヘッド本体３５１の左側とに取り付けられている。
【０１３２】
ヘッド部３０４は、弾性体３８０を有する。弾性体３８０は、第１伝達部材３６０Ｌとヘッド本体３５１との間に配置されている。弾性体３８０は、第１伝達部材３６０Ｌを、下方（ヘッド本体３５１の外方）に向かって付勢している。後述されるリンク機構により、弾性体３８０は、係合突起Ｔ２，Ｔ３を突出方向に付勢している。本実施形態では、弾性体３８０は、コイルスプリングである。弾性体３８０として、コイルスプリング以外の弾性体が用いられても良い。
【０１３３】
ヘッド部３０４は、解除ボタン４００を有する。解除ボタン４００は、第１伝達部材３６０Ｌに取り付けられている。解除ボタン４００は、第１伝達部材３６０Ｌに固定されている。
【０１３４】
水栓装置３００において、解除ボタン４００は露出している。解除ボタン４００は、指で操作（押圧）されうる。なお、指で操作する構成とせずに、解除ボタン４００を操作するための治具や工具等で操作する構成とされてもよい。また、指と、治具や工具等との両方で操作できるようにされてもよい。解除ボタン４００は、押しボタンである。解除ボタン４００は、水栓装置３００の下側に位置する（図１７（ｂ）参照）。
【０１３５】
図２５（ａ）は、第２伝達部材３６０Ｕの斜視図である。図２５（ｂ）は、第２伝達部材３６０Ｕを前側から見た正面図である。図２５（ｃ）は、第２伝達部材３６０Ｕの側面図である。
【０１３６】
第２伝達部材３６０Ｕは、全体として左右対称の部材である。第２伝達部材３６０Ｕは、係合突起Ｔ２を有する。係合突起Ｔ２の数は複数（３つ）である。係合突起Ｔ２は、第２伝達部材３６０Ｕの上面に設けられている。係合突起Ｔ２は、傾斜面Ｙ２と、段差面Ｄ２とを有する。段差面Ｄ２は、係合突起Ｔ２の前方に位置する。傾斜面Ｙ２は、係合突起Ｔ２の後方に位置する。傾斜面Ｙ２は、前記特定方向に対して傾斜している。傾斜面Ｙ２は、後方にいくほどヘッド部３０４の中心側（下側）となるように傾斜している。傾斜面Ｙ２の後方縁は、第２伝達部材３６０Ｕの後端に位置する。傾斜面Ｙ２は、本願にいう第２当接面の一例である。
【０１３７】
なお、第２当接面は、傾斜面Ｙ２でなくてもよいが、ヘッド部３０４の装着を円滑とする観点から、傾斜面Ｙ２が好ましい。傾斜面Ｙ２は、平面でもよいし、曲面でもよい。ヘッド部３０４の装着を円滑とする観点及び製造容易性の観点から、平面が好ましい。
【０１３８】
第２伝達部材３６０Ｕは、リンク係合部Ｕ２を有している。第２伝達部材３６０Ｕの左右両側のそれぞれに、リンク係合部Ｕ２が設けられている。リンク係合部Ｕ２は、下方延在部ＥＵ２に設けられた孔（貫通孔）である。
【０１３９】
図２６（ａ）は、第１伝達部材３６０Ｌを上方から見た斜視図である。図２６（ｂ）は、第１伝達部材３６０Ｌを前側から見た正面図である。図２６（ｃ）は、第１伝達部材３６０Ｌの側面図である。図２６（ｄ）は、第１伝達部材３６０Ｌを下方から見た斜視図である。
【０１４０】
第１伝達部材３６０Ｌは、全体として左右対称の部材である。第１伝達部材３６０Ｌは、係合突起Ｔ３を有する。係合突起Ｔ３の数は複数（２つ）である。係合突起Ｔ３は、第１伝達部材３６０Ｌの下面に設けられている。係合突起Ｔ３は、傾斜面Ｙ３と、段差面Ｄ３とを有する。段差面Ｄ３は、係合突起Ｔ３の前方に位置する。傾斜面Ｙ３は、係合突起Ｔ３の後方に位置する。傾斜面Ｙ３は、前記特定方向に対して傾斜している。傾斜面Ｙ３は、後方にいくほどヘッド部３０４の中心側（上側）となるように傾斜している。傾斜面Ｙ３の後方縁は、第１伝達部材３６０Ｌの後端に位置する。傾斜面Ｙ３は、本願にいう第２当接面の一例である。
【０１４１】
なお、第２当接面は、傾斜面Ｙ３でなくてもよいが、ヘッド部３０４の装着を円滑とする観点から、傾斜面Ｙ３が好ましい。傾斜面Ｙ３は、平面でもよいし、曲面でもよい。ヘッド部３０４の装着を円滑とする観点及び製造容易性の観点から、平面が好ましい。
【０１４２】
第１伝達部材３６０Ｌは、リンク係合部Ｌ１を有している。第１伝達部材３６０Ｌの左右両側のそれぞれに、リンク係合部Ｌ１が設けられている。リンク係合部Ｌ１は、上方延在部ＥＬ１に設けられた孔（貫通孔）である。
【０１４３】
第１伝達部材３６０Ｌは、スライド孔ＳＬ１を有している。スライド孔ＳＬ１は、上下方向に延在している。このスライド孔ＳＬ１に、ヘッド本体３５１の第１スライド凸部（図示されず）が挿入される。このスライド凸部とスライド孔ＳＬ１との間の摺動に起因して、第１伝達部材３６０Ｌは、その姿勢を維持しながら上下方向に移動しうる。
【０１４４】
第１伝達部材３６０Ｌは、バネ収容部３７０と円筒突起３７２とを有している。このバネ収容部３７０は、円筒突起３７２の周囲に存在する空間である。前述したコイルスプリング３８０が、バネ収容部３７０に配置される。この配置において、コイルスプリング３８０の内側に円筒突起３７２が挿通されている。この挿通により、コイルスプリング３８０は、伸縮可能に保持されている。
【０１４５】
図２７（ａ）は解除ボタン４００の斜視図であり、図２７（ｂ）は解除ボタン４００を後方からみた背面図であり、図２７（ｃ）は解除ボタン４００の底面図である。
【０１４６】
解除ボタン４００は、押圧面４０２と、取付係合部４０４とを有する。押圧面４０２は、水栓装置３００において露出している面である。取付係合部４０４は、左右それぞれに設けられている。取付係合部４０４は上方に延びている。取付係合部４０４の上端に係合ツメ４０６が設けられている。
【０１４７】
図２８（ａ）は、第１伝達部材３６０Ｌに解除ボタン４００が固定された部材を下方から見た底面図である。図２８（ｂ）は、図２８（ａ）のｂ−ｂ線に沿った断面図である。図２８（ｃ）は、図２８（ａ）のｃ−ｃ線に沿った断面図である。
【０１４８】
前述の通り、解除ボタン４００は第１伝達部材３６０Ｌに固定されている。図２８（ｂ）が示すように、解除ボタン４００の係合ツメ４０６が、第１伝達部材３６０Ｌの係合ツメ３６２に係合している。この係合により、解除ボタン４００の固定が達成されている。解除ボタン４００と第１伝達部材３６０Ｌとは一体で動く。なお、当然ながら、第１伝達部材３６０Ｌと解除ボタン４００とが一体成形されていてもよい。
【０１４９】
図２９（ａ）は、上方から見た第３伝達部材３６０Ｃの斜視図である。図２９（ｂ）は、第３伝達部材３６０Ｃを上方から見た平面図である。図２９（ｃ）は、下方から見た第３伝達部材３６０Ｃの斜視図である。
【０１５０】
第３伝達部材３６０Ｃは、全体として、細長いリンク部材である。第３伝達部材３６０Ｃは、基部３９０と、回転支持部３９２と、第１リンク部３９４と、第２リンク部３９６とを有する。回転支持部３９２は、第１リンク部３９４と第２リンク部３９６との間に位置する。第１リンク部３９４は第３伝達部材３６０Ｃの一端側に位置し、第２リンク部３９６は第３伝達部材３６０Ｃの他端側に位置する。回転支持部３９２は、第３伝達部材３６０Ｃの中心に位置する。
【０１５１】
本実施形態では、回転支持部３９２は、断面が円形の軸体である。この軸体は、基部３９０から、ヘッド部３０４の中心に向かって延びている。本実施形態では、第１リンク部３９４は、断面が円形の軸体である。この軸体は、基部３９０から、ヘッド部３０４の中心に向かって延びている。本実施形態では、第２リンク部３９６は、断面が円形の軸体である。この軸体は、基部３９０から、ヘッド部３０４の中心に向かって延びている。なお、本実施形態では、全ての軸体が同一方向に延びているが、異なる方向に延びてもよい。また、これらは軸体に限られず、例えば孔に置換されてもよく、この場合、リンク係合部Ｕ２（図２５）及びリンク係合部Ｌ１（図２６）が軸体とされうる。
【０１５２】
図３０（ａ）から（ｃ）は、ヘッド本体３５１に伝達部材３６０（解除ボタン４００を含む）が取り付けられた組立体５００を示す。図３０（ａ）は、組立体５００を上から見た斜視図である。図３０（ｂ）は、組立体５００を下から見た斜視図である。図３０（ｃ）は、組立体５００の側面図である。
【０１５３】
前述の通り、第２伝達部材３６０Ｕは、ヘッド本体３５１の上側に取り付けられている。図２５（ａ）が示す通り、第２伝達部材３６０Ｕは、スライド孔ＳＬ２を有している。スライド孔ＳＬ２は、上下方向に延在している。このスライド孔ＳＬ２に、ヘッド本体３５１の第２スライド凸部３５３（図３０（ａ）参照）が挿入される。このスライド凸部３５３とスライド孔ＳＬ２との間の摺動に起因して、第２伝達部材３６０Ｕは、その姿勢を維持しながら上下方向に移動しうる。
【０１５４】
第１伝達部材３６０Ｌと第２伝達部材３６０Ｕとは、第３伝達部材３６０Ｃによって連結されている。第２伝達部材３６０Ｕは、第１伝達部材３６０Ｌに連動する。第１伝達部材３６０Ｌが上側（ヘッド本体３５１の中心側）に移動すると、第２伝達部材３６０Ｕが下側（ヘッド本体３５１の中心側）に移動する。第１伝達部材３６０Ｌが下側に移動すると、第２伝達部材３６０Ｕが上側に移動する。第１伝達部材３６０Ｌと、第２伝達部材３６０Ｕと、第３伝達部材３６０Ｃとで、リンク機構が構成されている。このリンク機構の詳細については、後述される。
【０１５５】
図３１（ａ）はグリップ本体３０２ａの斜視図であり、図３１（ｂ）はグリップ本体３０２ａを上側から見た平面図であり、図３１（ｃ）はグリップ本体３０２ａを下から見た底面図である。前述の通り、グリップ本体３０２ａは、係合孔部Ｅ２を有する。合計５つの係合孔部Ｅ２が設けられている。これらの係合孔部Ｅ２は、グリップ本体３０２ａを貫通している。グリップ本体３０２ａがグリップカバー３０２ｂに覆われることで、係合孔部Ｅ２は、内方空間部に面した凹部となる。係合孔部Ｅ２は、内方空間部に向かって開口する凹部である。
【０１５６】
グリップ本体３０２ａは、解除ボタン回避部３０３を有する。解除ボタン回避部３０３は、グリップ本体３０２ａの下側に設けられている。解除ボタン回避部３０３は、解除ボタン４００の形状に沿って設けられた欠落部である。解除ボタン回避部３０３は、解除ボタン４００の設置を許容する。
【０１５７】
図３２（ａ）はヘッド部３０４がグリップ部３０２に装着される途中の段階を示す平面図であり、図３２（ｂ）は図３２（ａ）のｂ−ｂ線に沿った断面図である。図３３（ａ）は、ヘッド部３０４の装着が完了した正規装着状態を示す平面図であり、図３３（ｂ）は図３３（ａ）のｂ−ｂ線に沿った断面図である。ヘッド部３０４のグリップ部３０２への取り付けでは、図３２の状態（挿入段階）から図３３の正規装着状態への移行が達成される。
【０１５８】
ヘッド部３０４の取付工程では、先ず、挿入部３５４の内方空間部３０２ｃへの挿入が開始される。挿入部３５４の一部が内方空間部３０２ｃに挿入されているが、傾斜面Ｙ２，Ｙ３が第１当接面Ｆ２から力を受けていない状態が、挿入開始段階とも称される。この挿入開始段階において、傾斜面Ｙ２，Ｙ３（第２当接面）が、第１当接面Ｆ２（グリップ部３０２の前端面）に当接する（図３２（ｂ）の拡大部参照）。第２伝達部材３６０Ｕの傾斜面Ｙ２と第１伝達部材３６０Ｌの傾斜面Ｙ３とが、第１当接面Ｆ２に当接する。このとき、解除ボタン４００の操作は不要である。操作部（解除ボタン４００）に外力が作用していない非操作状態において、傾斜面Ｙ２の後端は、第１当接面Ｆ２よりも内側に位置している。同様に、操作部（解除ボタン４００）に外力が作用していない非操作状態において、傾斜面Ｙ３の後端は、第１当接面Ｆ２よりも内側に位置している。よって、解除ボタン４００を操作することなく、傾斜面Ｙ２、Ｙ３は第１当接面Ｆ２に当接する。つまり、非操作状態において、全ての第２当接面Ｙ２，Ｙ３が、第１当接面Ｆ２に当接する。
【０１５９】
この状態で、ヘッド部３０４をグリップ部３０２に押し込む（図３２（ａ）の黒塗り矢印を参照）。この押し込みにより、傾斜面Ｙ２、Ｙ３は、第１当接面Ｆ２から押圧されつつ、内側（ヘッド部３０４の中心側）に変位する（図３２（ｂ）の黒塗り矢印参照）。第１当接面Ｆ２は傾斜面Ｙ２，Ｙ３上を摺動し、傾斜面Ｙ２，Ｙ３の内側への変位は円滑に進行する。傾斜面Ｙ２（係合突起Ｔ２）の変位に伴い、第２伝達部材３６０Ｕの全体が変位する。すなわち、ヘッド部３０４の押し込みにより、第２伝達部材３６０Ｕは下側に変位する。傾斜面Ｙ３（係合突起Ｔ３）の変位に伴い、第１伝達部材３６０Ｌの全体が変位する。すなわち、ヘッド部３０４の押し込みにより、第１伝達部材３６０Ｌは上側に変位する。
【０１６０】
更にヘッド部３０４を押し込むと、第１当接面Ｆ２によって傾斜面Ｙ２，Ｙ３が更に内側に押し込まれ、係合突起Ｔ２，Ｔ３は、退行位置に達する。更にヘッド部３０４を押し込むと、係合突起Ｔ２，Ｔ３は係合孔部Ｅ２の位置に達し、係合孔部Ｅ２に入り込む（図３３（ｂ）参照）。なぜなら、係合突起Ｔ３を含む第１伝達部材３６０Ｌはコイルスプリング３８０により外側（下側）に付勢されており、且つ、係合突起Ｔ２を含む第２伝達部材３６０Ｕはリンク機構により外側（上側）に付勢されているからである。係合突起Ｔ２，Ｔ３が係合孔部Ｅ２に入り込むことで、正規装着状態（図３３）が達成される。正規装着状態では、段差面Ｄ２と、係合孔部Ｅ２の内面とが係合しているため、ヘッド部３０４の係止は確実である。
【０１６１】
このように、ヘッド部３０４の挿入に伴う第１当接面Ｆ２と傾斜面Ｙ２，Ｙ３（第２当接面）との当接により、係合突起Ｔ２，Ｔ３は退行位置にまで変位するように構成されている。ヘッド部３０４の挿入に伴う第１当接面Ｆ２と傾斜面Ｙ２，Ｙ３（第２当接面）との当接により、係合突起Ｔ２，Ｔ３は、操作部４００の操作を伴うこと無く、退行位置にまで変位するように構成されている。よって、ヘッド部３０４の取付は、ヘッド部３０４をグリップ部３０２に挿入するだけでよく、操作部（解除ボタン４００）の操作は不要である。
【０１６２】
図３４（ａ）及び図３４（ｂ）は、ヘッド部３０４の取り外し工程の第１段階を示している。図３４（ａ）及び図３４（ｂ）は、解除ボタン４００が押圧された状態を示す。この第１段階では、解除ボタン４００が押圧される（図３４（ｂ）の黒塗り矢印を参照）。この押圧により、解除ボタン４００は内側（上側）に移動する。この解除ボタン４００の移動により、解除ボタン４００が取り付けられている第１伝達部材３６０Ｌも内側（上側）に移動する。この第１伝達部材３６０Ｌに連動して、第２伝達部材３６０Ｕも内側（下側）に移動する（図３４（ｂ）の拡大部の黒塗り矢印参照）。第１伝達部材３６０Ｌと第２伝達部材３６０Ｕとの連動は、後述されるリンク機構によって達成されている。
【０１６３】
解除ボタン４００の押圧操作により、係合突起Ｔ２，Ｔ３が退行位置にまで移動される（図３４（ｂ））。この移動により、係合突起Ｔ２，Ｔ３と係合孔部Ｅ２との係合が解除される。ヘッド部３０４の取り外し工程の第２段階では、この係合が解除された状態で、ヘッド部３０４をグリップ部３０２から引き抜く（図３４（ａ）の黒塗り矢印参照）。この引き抜きにより、ヘッド部３０４の取り外しが完了する。
【０１６４】
このように、ヘッド部３０４の着脱は容易である。ヘッド部３０４の装着は、操作部４００を操作することなく、ヘッド部３０４を挿入するだけでよい。ヘッド部３０４の取り外しは、操作部４００を押圧しながらヘッド部３０４を引き抜くだけでよい。ビス等の外部部品は存在しないので、当該部品の紛失ということもない。素手で簡単に着脱することができ、治具を用いることなく着脱を可能にできる。
【０１６５】
この着脱構造は、ヘッド部３０４とグリップ部３０２との相対回転を伴う回転方式ではない。よって、結合部の形状が、円筒形状に限定されない。結果として、形状の設計自由度に優れた水栓装置が実現する。例えば、水栓装置３００のような、美観性に優れたデザインも可能となる。
【０１６６】
係合孔部Ｅ２はグリップカバー３０２ｂで覆われているので、外部から視認されない。係合孔部Ｅ２に係合している係合突起Ｔ２，Ｔ３も、外部から視認されない。よって、美観性に優れる。更に、操作部（解除ボタン４００）の露出面（押圧面４０２）は、水栓装置３００の下側（裏側）に位置する。よって、押圧面４０２が目立たず、水栓装置３００の美観性がより一層高められている。
【０１６７】
上述の通り、操作部（解除ボタン４００）の動きは、直接的に係合突起Ｔ３に伝達され、更に、上記リンク機構によって、係合突起Ｔ２に伝達されている。本実施形態では、操作部４００の動きを係合突起Ｔ２，Ｔ３に伝達する伝達部は、第１伝達部材３６０Ｌ、第２伝達部材３６０Ｕ及び第３伝達部材３６０Ｃである。係合突起Ｔ２への伝達は、リンク機構により達成されている。
【０１６８】
操作部の動きを係合突起Ｔ２に伝達する上記リンク機構は、第１伝達部材３６０Ｌ、第２伝達部材３６０Ｕ及び第３伝達部材３６０Ｃを有する。前述の通り、第３伝達部材３６０Ｃは、回転支持部３９２、第１リンク部３９４及び第２リンク部３９６を有する（図２９参照）。図３２（ｂ）が示すように、第１リンク部３９４は、第１伝達部材３６０Ｌのリンク係合部Ｌ１（図２６参照）に回動可能に係合している。第２リンク部３９６は、第２伝達部材３６０Ｕのリンク係合部Ｕ２（図２５参照）に回動可能に係合している。回転支持部３９２は、第３伝達部材３６０Ｃの回転中心である。回転支持部３９２は、ヘッド本体３５１のリンク支持部３５７（図２３参照）に回動可能に支持されている。
【０１６９】
なお、第３伝達部材３６０Ｃの回転中心線（回転支持部３９２の中心線）の向きは、左右方向である。第３伝達部材３６０Ｃの回転中心線は、前後方向に対して垂直である。第１リンク部３９４とリンク係合部Ｌ１との間の回転における中心線は、第３伝達部材３６０Ｃの回転中心線に平行である。第２リンク部３９６とリンク係合部Ｕ２との間の回転における中心線は、第３伝達部材３６０Ｃの回転中心線に平行である。
【０１７０】
このリンク機構は、左右対称である。第３伝達部材３６０Ｃと他の部材との上記係合は、左側の第３伝達部材３６０Ｃ及び右側の第３伝達部材３６０Ｃの両方で成立している。
【０１７１】
このリンク機構は、回転体である第３伝達部材３６０Ｃと、この回転体の回転中心からズレた位置に回動可能に係合する部材３６０Ｕ，３６０Ｌとを有するクランク機構である。このリンク機構（クランク機構）は、第２伝達部材３６０Ｕを第１伝達部材３６０Ｌに連動させる。解除ボタン４００が押圧され、第１伝達部材３６０Ｌが上側に移動すると、第２伝達部材３６０Ｕは下側に移動する。より詳細には、第１伝達部材３６０Ｌが上側に移動すると、第１リンク部３９４が上側に移動し、第３伝達部材３６０Ｃが回転支持部３９２を中心として回転し、第２リンク部３９６が下側に移動する。図３２（ｂ）又は図３３（ｂ）と図３４（ｂ）との対比を参照されたい。解除ボタン４００の押圧が解除されると、逆の動きが起こる。すなわち、第１伝達部材３６０Ｌが下側に移動すると、第３伝達部材３６０Ｃは逆回転し、第２伝達部材３６０Ｕは上側に移動する。このリンク機構（クランク機構）により、解除ボタン４００の押圧に伴って全ての係合突起Ｔ２，Ｔ３が退行し、且つ、解除ボタン４００の押圧解除に伴って全ての係合突起Ｔ２，Ｔ３が突出する。
【０１７２】
なお、上述の通り、第１伝達部材３６０Ｌは下方に付勢されている。解除ボタン４００の位置に関わらず、第１伝達部材３６０Ｌは下方に（係合突起Ｔ３が突出する方向に）付勢されている。また、第１伝達部材３６０Ｌ及び第２伝達部材３６０Ｕは、それぞれ、その姿勢を維持しつつ上下方向にスライド移動しうるように支持されている。よって、上記リンク機構の動きは安定的である。
【０１７３】
この第２実施形態の水栓装置３００では、解除ボタン４００が、係合突起Ｔ３に近い。また、解除ボタン４００が、第１伝達部材３６０Ｌの回転中心線に近い。よって、第１伝達部材３６０Ｌを傾斜させるモーメントが生じにくい。この構成は、リンク機構の安定的な動作に寄与する。
【０１７４】
本実施形態では、ヘッドカバー３５５の外形が、ヘッド部３０４の外形である。ただし、解除ボタン４００が配置されている部分については、解除ボタン４００の外面が、ヘッド部３０４の外形である。また、グリップカバー３０２ｂの外形が、グリップ部３０２の外形である。グリップ部３０２の外形は、偏平形状である。これに対応して、ヘッド部３０４の外形も、偏平形状である。
【０１７５】
解除ボタン４００が配置されている部分において、グリップ部３０２の外形の断面線が、操作領域断面線とも称される。この外形（操作領域断面線）は、幅広方向Ｗを有する。上述の通り、幅広方向Ｗとは、上記操作領域断面線において、横断幅が最大となる方向である。
【０１７６】
この幅広方向Ｗの中央に、解除ボタン４００が設けられている（図１７（ｂ）参照）。また、解除ボタン４００は、水栓装置３００（グリップ部３０２）の下側に位置している。水栓装置３００の底面図（図１７（ｂ））が、解除ボタン４００の全体を含む。従って、解除ボタン４００は、目立たない。加えて、解除ボタン４００とその周辺部材（グリップカバー３０２ｂ）との間の境界ｋ１も、グリップ部３０２の下側に位置している。水栓装置３００の底面図（図１７（ｂ））が、境界ｋ１の全体を含む。この境界ｋ１も、目立たない。水栓装置３００は外観性に優れる。なお、前記幅広方向Ｗに対して平行で且つ前記特定方向に対して平行な平面が基準平面とされるとき、水栓装置３００の底面図は、この基準平面への投影像とされうる。
【０１７７】
この解除ボタン４００の位置は、水栓装置３００を把持するときの親指又は人差し指の位置に近い。この位置に配置された解除ボタン４００は、操作性に優れる。
【０１７８】
解除ボタン４００は、１カ所のみに設けられている。１カ所のみの操作で済むため、操作性が高い。
【０１７９】
解除ボタン４００が１カ所のみであるにも関わらず、係合突起は複数の箇所に設けられている。しかも、係合突起は、水栓装置３００の下側及び上側の両方に設けられている。上述のリンク機構により、解除ボタン４００の数が抑制されつつ、係合突起の数及び位置の自由度が高められている。
【０１８０】
上記リンク機構は、解除ボタン４００が固定されている第１伝達部材３６０Ｌと、第２伝達部材３６０Ｕと、第３伝達部材３６０Ｃとを有している。第３伝達部材３６０Ｃは、回転支持部３９２と、この回転支持部３９２に対して一方側に設けられた第１リンク部３９４と、この回転支持部３９２に対して他方側に設けられた第２リンク部３９６とを有している。回転支持部３９２は、第３伝達部材３６０Ｃを回転可能に支持している。回転支持部３９２は、他部材によって回動可能に支持されている。この他部材とは、第１伝達部材３６０Ｌ及び第２伝達部材３６０Ｕ以外の部材であって、解除ボタン４００の操作に関わらず固定された部材である。上記第２実施形態では、この他部材は、ヘッド本体３５１である。他部材は、ヘッド本体３５１以外の部材であってもよい。
【０１８１】
第１伝達部材３６０Ｌが第１リンク部３９４に回動可能に係合しており、第２伝達部材３６０Ｕが第２リンク部３９６に回動可能に係合している。したがって、第１伝達部材３６０Ｌが第１方向（例えば上方向）に移動すると、この移動が第３伝達部材３６０Ｃの回転に変換され、更にこの回転が、第２伝達部材３６０Ｕの第２方向（例えば下方向）への移動に変換される。第１リンク部３９４と第２リンク部３９６とが回転支持部３９２に対して互いに反対側に位置しているため、第１方向と第２方向とは、互いに逆方向となりうる。このリンク機構により、解除ボタン４００から離れた位置でも、解除ボタン４００の動きに連動して係合突起Ｔ２を出退移動させることができる。
【０１８２】
本実施形態では、第１方向と第２方向との関係は、互いに逆方向である。第１方向と第２方向との関係は、互いに逆方向の関係に限られない。リンク機構の構成により、第１方向及び第２方向は様々に設定することができる。例えば、前記第１から第３伝達部材に加え、他の伝達部材をリンク部材として用いてリンク機構を構成することで、第１方向及び第２方向は様々に設定されうる。よって、係合突起の位置の自由度は高められうる。
【０１８３】
図１５及び図１７（ｂ）において両矢印Ｗ１で示されているのは、幅広方向Ｗにおける上記操作領域断面線の幅である。図１５において両矢印Ｎ１で示されているのは、幅狭方向Ｎにおける上記操作領域断面線の幅である。解除ボタン２００の近傍において曲率が大きいほど、解除ボタン２００を押しやすい。この観点から、Ｗ１／Ｎ１は、１．５以上が好ましく、１．７以上がより好ましく、１．９以上がより好ましい。幅Ｎ１を小さくするのには限界があり、この観点から、Ｗ１／Ｎ１は、３．０以下が好ましく、２．８以下がより好ましく、２．５以下がより好ましい。
【０１８４】
図１１（ｃ）において両矢印Ｈで示されるのは、操作部（解除ボタン２００）の高さである。この高さＨは、上記操作領域断面線において測定される。すなわち、上記操作領域断面線のうち、操作押圧面２０２により構成されている部分の高さが、高さＨである。この高さＨは、操作部（解除ボタン２００）の移動方向に対して垂直な方向に沿って測定される。操作部（解除ボタン２００）は、特定方向に幅を有しているため、この幅の範囲内で、上記操作領域断面線は複数存在する。この操作領域断面線によって上記高さは相違しているが、この高さの最大値が高さＨとされる。
【０１８５】
図１１（ｃ）において両矢印Ｄで示されるのは、操作部（解除ボタン２００）の突出幅である。この突出幅Ｄは、上記操作領域断面線において測定される。すなわち、上記操作領域断面線のうち、操作押圧面２０２により構成されている部分の突出高さが、突出高さＤである。この突出高さＤは、操作部（解除ボタン２００）の移動方向に沿って測定される。操作領域断面線によって上記突出高さは相違するが、この突出高さの最大値が突出高さＤとされる。
【０１８６】
比（Ｄ／Ｈ）が大きくされることで、押し込み操作性を良好としつつ、ヘッド部１０４を小型化することが可能となる。この観点から、Ｄ／Ｈは、０．０５以上が好ましく、０．１以上がより好ましく、０．１５以上が更に好ましい。高さＨが過小であると、かえって押し込み操作性が低下しうる。また、突出高さＤが過大であると意匠性や解除ボタンの成形性が低下する。これらの観点から、Ｄ／Ｈは、０．５以下が好ましく、０．４以下がより好ましく、０．３以下が更に好ましい。
【０１８７】
押し込み操作性の観点から、突出高さＤは、０．５ｍｍ以上が好ましく、１ｍｍ以上がより好ましく、２ｍｍ以上が更に好ましい。突出高さＤが過大であると、ヘッド外面の曲率と操作部の形状とを一致させにくく意匠性が低下する場合があり、また解除ボタンが樹脂成型品である場合には解除ボタンが厚肉となって成型時に引け（凹み）が生じるなどして成形性が低下する場合がある。これらの観点から、突出高さＤは、５ｍｍ以下が好ましく、４ｍｍ以下がより好ましく、３ｍｍ以下が更に好ましい。
【０１８８】
解除操作の操作性を高める観点から、前記高さＨは６ｍｍ以上が好ましく、８ｍｍ以上がより好ましく、１０ｍｍ以上が更に好ましい。水栓装置の大型化を抑止する観点から、前記高さＨは１６ｍｍ以下が好ましく、１４ｍｍ以下がより好ましく、１２ｍｍ以下が更に好ましい。
【０１８９】
図１７（ｂ）において両矢印Ｗ２で示されるのは、解除ボタン４００の露出部分の左右方向幅である。この幅Ｗ２は、幅広方向Ｗに沿って測定される。操作性の観点から、幅Ｗ２は、５ｍｍ以上が好ましく、１０ｍｍ以上がより好ましく、１５ｍｍ以上がより好ましい。解除ボタン４００を目立たなくする観点から、幅Ｗ２は、３０ｍｍ以下が好ましく、２８ｍｍ以下がより好ましく、２５ｍｍ以下がより好ましい。解除ボタン４００を目立たなくする観点から、幅広方向Ｗの幅Ｗ１に対する幅Ｗ２の比（Ｗ２／Ｗ１）は、０．６以下が好ましく、０．５以下がより好ましく、０．４以下がより好ましい。
【０１９０】
図１において両矢印Ｂで示されているのは、内方空間部１０２ｃの開口端（第１当接面Ｆ１）と解除ボタン２００との距離である。この距離Ｂの測定において、解除ボタン２００の位置Ｘ２は、解除ボタン２００の特定方向幅の中心とされる。この距離Ｂは、特定方向に沿って測定される。
【０１９１】
図１において両矢印Ｌで示されているのは、ヘッド部１０４の露出長さである。長さＬは、ヘッド部１０４のうち露出している部分の長さであり、挿入部１５４の長さは含まない。この長さＬは、内方空間部１０２ｃの開口端（第１当接面Ｆ１）から、ヘッド部１０４の先端までの長さである。この長さＬの測定において、切替操作部１２０は、押し込み位置とされる。この長さＬは、特定方向に沿って測定される。
【０１９２】
図１が示すように、操作部（解除ボタン２００）の位置Ｘ２は、ヘッド部１０４の露出長さＬの中央位置Ｘ１よりも水栓本体側に位置する。
【０１９３】
解除ボタン２００を操作する際には、ヘッド部１０４に操作力が加わる。理想的には、２つの解除ボタン２００に対して均等且つ互いに逆方向の操作力が作用し、両者は相殺しうる。しかし、実際の操作では、このような理想的な操作力のみではない。解除ボタン２００に作用した操作力により、ヘッド部１０４の露出部分とグリップ部１０２との境界部に応力が集中しうる。この応力により、当該境界部においてガタ又は破損が生じうる。操作部（解除ボタン２００）の位置Ｘ２が、前記中央位置Ｘ１よりも水栓本体側に位置することで、当該境界部まわりの力のモーメントが小さくなる。よって、グリップ部１０２とヘッド部１０４との連結部に作用する応力が抑制される。
【０１９４】
グリップ部１０２とヘッド部１０４との連結部に作用する応力を抑制する観点から、比（Ｂ／Ｌ）は、０．５未満が好ましく、０．４以下がより好ましく、０．３以下が更に好ましく、０．２以下が特に好ましい。距離Ｂが小さすぎると、解除ボタン２００の支持が難しくなる場合がある。この観点から、比（Ｂ／Ｌ）は、０．１以上が好ましく、０．１２以上がより好ましく、０．１５以上が更に好ましい。
【０１９５】
第２実施形態でも、解除ボタン４００は、ヘッド部３０４の露出長さの中央位置よりも水栓本体側に位置している。更に、解除ボタン４００は、ヘッド部３０４の露出部分よりも水栓本体側に位置している。換言すれば、解除ボタン４００は、内方空間部３０２ｃの開口端（第１当接面Ｆ２）よりも水栓本体側に位置している。この解除ボタン４００の位置は、水栓装置３００を自然に把持したときの親指又は人差し指の位置に近い。よって、操作性が高まる。また、この解除ボタン４００の位置は、ヘッド部３０４から下方に突出する吐水口形成部３１２より水栓本体側に位置する。このため、グリップ部３０２を把持する手の指が、吐水口形成部３１２に邪魔されることなく、解除ボタン４００を操作しうる。この点においても、操作性が向上している。
【０１９６】
ヘッド本体１４４，３５１（挿入部１５４，３５４）の材質として、金属及び樹脂が例示される。好ましい樹脂として、ポリオキシメチレン（ＰＯＭ）、ポリフェニレンサルファイド（ＰＰＳ）、アクリロニトリルブタジエンスチレン共重合体（ＡＢＳ）及びポリプロピレン（ＰＰ）が例示される。コスト、強度及び耐久性の観点から、ポリオキシメチレン（ＰＯＭ）及びポリフェニレンサルファイド（ＰＰＳ）がより好ましい。
【０１９７】
グリップ部１０２，３０２の材質として、金属及び樹脂が例示される。好ましい樹脂として、ポリオキシメチレン（ＰＯＭ）、ポリフェニレンサルファイド（ＰＰＳ）、アクリロニトリルブタジエンスチレン共重合体（ＡＢＳ）及びポリプロピレン（ＰＰ）が例示される。コスト、強度及び耐久性の観点から、ポリオキシメチレン（ＰＯＭ）及びポリフェニレンサルファイド（ＰＰＳ）がより好ましい。
【０１９８】
係合突起Ｔ１，Ｔ２，Ｔ３の材質として、金属及び樹脂が例示される。好ましい樹脂として、ポリオキシメチレン（ＰＯＭ）、ポリフェニレンサルファイド（ＰＰＳ）、アクリロニトリルブタジエンスチレン共重合体（ＡＢＳ）及びポリプロピレン（ＰＰ）が例示される。コスト、強度及び耐久性の観点から、ポリオキシメチレン（ＰＯＭ）及びポリフェニレンサルファイド（ＰＰＳ）がより好ましい。
【０１９９】
ヘッドカバー１５０，３５５の材質として、金属及び樹脂が例示される。好ましい樹脂として、ポリオキシメチレン（ＰＯＭ）、ポリフェニレンサルファイド（ＰＰＳ）、アクリロニトリルブタジエンスチレン共重合体（ＡＢＳ）及びポリプロピレン（ＰＰ）が例示される。コスト及び外観性の観点から、アクリロニトリルブタジエンスチレン共重合体（ＡＢＳ）がより好ましい。
【０２００】
弾性体１８０，３８０として、圧縮コイルバネ、ねじりコイルバネ、板バネ等が用いられ得る。耐久性及び操作性の観点から、圧縮コイルバネが好ましい。
【０２０１】
以上に説明されたように、本発明では、水質浄化機能を備え、形状自由度が高い水栓装置が実現されている。
【０２０２】
本願には、請求項（独立形式請求項を含む）に係る発明に含まれない他の発明も記載されている。本願の請求項及び実施形態に記載されたそれぞれの形態、部材、構成等は、それぞれが有する作用効果に基づく発明として認識される。
【０２０３】
上記各実施形態で示されたそれぞれの形態、部材、構成等は、これら実施形態の全ての形態、部材又は構成をそなえなくても、個々に、本願請求項に係る発明をはじめとした、本願記載の全発明に適用されうる。
【産業上の利用可能性】
【０２０４】
以上説明された装置は、あらゆる用途の水栓に用いられ得る。
【符号の説明】
【０２０５】
１００、３００・・・水栓装置
１０２、３０２・・・グリップ部
１０２ａ、３０２ａ・・・グリップ本体
１０２ｂ、３０２ｂ・・・グリップカバー
１０２ｃ、３０２ｃ・・・内方空間部
１０４、３０４・・・ヘッド部
１１０、３１０・・・吐水口
１２０、３２０・・・切替操作部
１３０、３３０・・・押しボタン機構
１５０、３５５・・・ヘッドカバー
１６０、３６０Ｕ、３６０Ｌ、３６０Ｃ・・・伝達部材
１８０、３８０・・・弾性体
２００、４００・・・解除ボタン（操作部）
Ｖ１、Ｖ２・・・切替弁
Ｅ１、Ｅ２・・・係合孔部
Ｔ１、Ｔ２、Ｔ３・・・係合突起
Ｆ１、Ｆ２・・・第１当接面
Ｙ１、Ｙ２、Ｙ３・・・傾斜面（第２当接面）
【図１】
2018025094.tif 000003
【図２】
2018025094.tif 000004
【図３】
2018025094.tif 000005
【図４】
2018025094.tif 000006
【図５】
2018025094.tif 000007
【図６】
2018025094.tif 000008
【図７】
2018025094.tif 000009
【図８】
2018025094.tif 000010
【図９】
2018025094.tif 000011
【図１０】
2018025094.tif 000012
【図１１】
2018025094.tif 000013
【図１２】
2018025094.tif 000014
【図１３】
2018025094.tif 000015
【図１４】
2018025094.tif 000016
【図１５】
2018025094.tif 000017
【図１６】
2018025094.tif 000018
【図１７】
2018025094.tif 000019
【図１８】
2018025094.tif 000020
【図１９】
2018025094.tif 000021
【図２０】
2018025094.tif 000022
【図２１】
2018025094.tif 000023
【図２２】
2018025094.tif 000024
【図２３】
2018025094.tif 000025
【図２４】
2018025094.tif 000026
【図２５】
2018025094.tif 000027
【図２６】
2018025094.tif 000028
【図２７】
2018025094.tif 000029
【図２８】
2018025094.tif 000030
【図２９】
2018025094.tif 000031
【図３０】
2018025094.tif 000032
【図３１】
2018025094.tif 000033
【図３２】
2018025094.tif 000034
【図３３】
2018025094.tif 000035
【図３４】
2018025094.tif 000036